(57)【要約】【課題】硬質表面上に、汚染性物質に関して、持続する付着防止性及び（又は）密着防止性を付与させる。【解決手段】硬質表面を少なくとも１種のポリベタイン（Ｂ）を含む水性又は水性／アルコール媒体中で洗浄又はすすぎ洗いするための組成物であって、該表面に付着し得る汚染性物質に関して該表面に付着防止性及び（又は）密着防止性を付与するための組成物。【選択図】なし【特許請求の範囲】
【請求項１】
少なくとも１種の界面活性剤及び少なくとも１種のポリベタイン（Ｂ）を含有する、水性媒体又は水性アルコール媒体中で硬質表面を洗浄し又はすすぎ洗いするための組成物であって、該ポリベタイン（Ｂ）が、
・１〜１４のｐＨ範囲内で、不変陰イオン総電荷及び不変陽イオン総電荷を有し（それぞれ個々のベタイン単位は不変陽イオン電荷と同数の不変陰イオン電荷を有するものとし）、及び
・５，０００〜３，０００，０００ｇ／モル、好ましくは８，０００〜１，０００，０００ｇ／モル、特に１０，０００〜５００，０００ｇ／モルの絶対重量平均分子量（Ｍw）を示す
ことを特徴とするものである硬質表面の洗浄用又はすすぎ洗い用組成物。
【請求項２】
ポリベタイン（Ｂ）の不変陰イオン電荷が１個又は２個以上のスルホネート、ホスフェート、ホスホネート、ホスフィネート又はエテノレート陰イオンによって与えられることを特徴とする請求項１に記載の組成物。
【請求項３】
ポリベタイン（Ｂ）の不変陽イオン電荷が窒素、燐又は硫黄系の１個又は２個以上のオニウム又はイニウム陽イオンによって付与されることを特徴とする請求項１又は２に記載の組成物。
【請求項４】
ポリベタイン（Ｂ）のベタイン官能基が側基により保持されることを特徴とする請求項１〜３のいずれかに記載の組成物。
【請求項５】
ポリベタイン（Ｂ）の炭化水素鎖（又は主鎖）が１個以上の窒素及び（又は）硫黄原子により中断されていてよいポリアルキレン鎖であることを特徴とする請求項１〜４のいずれかに記載の組成物。
【請求項６】
ポリベタイン（Ｂ）が、
・アクリル酸若しくはメタクリル酸ジアルキルアンモニウムアルキル又はジアルキルアンモニウムアルキルアクリルアミド若しくはメタクリルアミドのアルキルスルホン酸塩又はホスホン酸塩、好ましくは、
- メタクリル酸スルホプロピルジメチルアンモニオエチル、
- メタクリル酸スルホエチルジメチルアンモニオエチル、
- メタクリル酸スルホブチルジメチルアンモニオエチル、
- メタクリル酸スルホヒドロキシプロピルジメチルアンモニオエチル、
- スルホプロピルジメチルアンモニオプロピルアクリルアミド、
- スルホプロピルジメチルアンモニオプロピルメタクリルアミド、
- スルホヒドロキシプロピルジメチルアンモニオプロピルメタクリルアミド、
- メタクリル酸スルホプロピルジエチルアンモニオエチル、
・複素環式ベタイン単量体、好ましくは、
- ピペラジンから誘導されたスルホベタイン、
- ２−ビニルピリジン及び４−ビニルピリジンから誘導されたスルホベタイン、特に好ましくは２−ビニル−１−（３−スルホプロピル）ピリジニウムベタイン又は４−ビニル−１−（３−スルホプロピル）ピリジニウムベタイン、
- １−ビニル−３−（３−スルホプロピル）イミダゾリウムベタイン、
・ジアルキルアンモニウムアルキルアリル化合物のアルキル又はヒドロキシアルキルスルホン酸塩又はホスホン酸塩、好ましくはスルホプロピルメチルジアリルアンモニウムベタイン、
・ジアルキルアンモニウムアルキルスチレンのアルキル又はヒドロキシアルキルスルホン酸塩又はホスホン酸塩、
・エチレン性不飽和無水物とジエンから生じるベタイン、
・次式：
【化１】
2010100861.tif 000039
のホスホベタイン、
・環状アセタールから生じるベタイン、好ましくは（（ジシアノエタノレート）エトキシ）ジメチルアンモニオプロピルメタクリルアミド
から選ばれる少なくとも１種のベタイン単量体から誘導されること、或いはポリベタイン（Ｂ）が先駆重合体の化学的変性によって、好ましくは、側鎖アミン官能基を含む重合体をスルホン化された求電子化合物、好ましくはスルトンを使用して化学的に変性することによって得られることを特徴とする、請求項１〜５のいずれかに記載の組成物。
【請求項７】
ポリベタイン（Ｂ）が、組成物のｐＨにおいて又は組成物の使用のｐＨにおいて非イオン性、非イオノゲン性、陰イオン性又は潜在的に陰イオン性である単量体単位を８０重量％まで、好ましくは５０重量％未満で含むことを特徴とする請求項１〜６のいずれかに記載の組成物。
【請求項８】
ポリベタイン（Ｂ）が、組成物のｐＨにおいて又は組成物の使用のｐＨにおいて非イオン性、非イオノゲン性、陰イオン性又は潜在的に陰イオン性である単量体単位を９０モル％まで、好ましくは７０モル％未満で、更に好ましくは５０モル％未満で、特に好ましくは３０モル％未満で含むことを特徴とする請求項７に記載の組成物。
【請求項９】
ポリベタイン（Ｂ）が、１〜１４のｐＨにおいて不変陽イオン電荷と同じ数の不変陰イオン電荷を有するベタイン単位以外の単量体単位を含まず、又は他の潜在的に陰イオン性の単位を５０モル％未満で、好ましくは３０モル％未満で含まないことを特徴とする請求項１〜６のいずれかに記載の組成物。
【請求項１０】
ポリベタイン（Ｂ）が、
・次式（−ＳＰＥ−）、（−ＳＰＰ−）、（−ＳＨＰＥ−）及び（−ＳＨＰＰ−）：
【化２】
2010100861.tif 000040
【化３】
2010100861.tif 000041
【化４】
2010100861.tif 000042
【化５】
2010100861.tif 000043
のベタイン単位から選ばれるベタイン単位より形成されるホモ重合体、
・次式：
【化６】
2010100861.tif 000044
の２−ビニルピリジンから誘導されるスルホベタインのホモ重合体、
・複数のベタイン単位であって、それらの少なくとも二つが相違していて且つ前記の式：（−ＳＰＥ−）、（−ＳＰＰ−）、（−ＳＨＰＥ−）及び（−ＳＨＰＰ−）から選ばれるものより形成される共重合体、
・前記の式：（−ＳＰＥ−）、（−ＳＰＰ−）、（−ＳＨＰＥ−）及び（−ＳＨＰＰ−）の単位から選ばれる同一若しくは異なったベタイン単位とメタクリル酸単位より形成される共重合体（該メタクリル酸単位の量は該共重合体の５０モル％未満、好ましくは３０モル％未満とする。）
から選ばれることを特徴とする請求項１〜６又は９のいずれかに記載の組成物。
【請求項１１】
ポリベタイン（Ｂ）が、前記の式：（−ＳＰＥ−）、（−ＳＰＰ−）、（−ＳＨＰＥ−）及び（−ＳＨＰＰ−）の単位から選ばれるベタイン単位より形成され又はこのベタイン単位を含み、１０，０００〜１５０，０００ｇ／モルの絶対重量分子量（Ｍw）を示すホモ重合体又は共重合体から選ばれることを特徴とする請求項１０に記載の組成物。
【請求項１２】
ポリベタイン（Ｂ）が、表面に付着し得る汚染性物質に関して、付着防止性及び（又は）密着防止性を該表面に付与するのに十分な量であることを特徴とする請求項１〜１１のいずれかに記載の組成物。
【請求項１３】
ポリベタイン（Ｂ）が該組成物の重量の０．００１〜１０％を占めることを特徴とする請求項１〜１２のいずれかに記載の組成物。
【請求項１４】
界面活性剤が該組成物の重量の０．００５〜６０％、好ましくは０．５〜４０％を占めることを特徴とする請求項１〜１３のいずれかに記載の組成物。
【請求項１５】
キレート化剤、金属イオン封鎖又はスケール生成阻止剤、無機洗浄力補助剤（ビルダー）、漂白剤、充填剤、漂白触媒、ｐＨ影響剤、混合物の粘度及び（又は）泡の安定性を制御できる重合体、ハイドロトロピー剤、加水剤又はモイスチャーライザー、バイオサイド又は消毒剤、洗浄又は脱脂活性を持つ溶剤、工業用クリーナー、弱洗浄効果の水溶性有機溶剤、補助溶剤、消泡剤、研磨剤、酵素、香料、着色剤又は金属の腐食防止剤から選ばれる少なくとも１種の添加剤を更に含む請求項１〜１４のいずれかに記載の組成物。
【請求項１６】
セラミックス、ガラス、金属、合成樹脂又はプラスチック製の硬質表面を洗浄し又はすすぎ洗いするための、請求項１〜１５のいずれかに記載の組成物。
【請求項１７】
浴室、台所、リノリウム、タイル又はセメント製の床、大便器、窓若しくは鏡、又は食器類を手により又は機械で洗浄し又はすすぎ洗いするための、家庭用の請求項１〜１６のいずれかに記載の組成物。
【請求項１８】
反応器、スチール製ブレード、シンク、タンク、食器類、ビルの外部又は内部表面、アパートのビルも含めてビルの窓、或いは瓶を洗浄し又はすすぎ洗いするための、工業用又は公共用の請求項１〜１６のいずれかに記載の組成物。
【請求項１９】
少なくとも７．５のｐＨを示し、０．００１〜５重量％、好ましくは０．００５〜２重量％のポリベタイン（Ｂ）を示すことを特徴とする請求項１〜１５のいずれかに記載の組成物。
【請求項２０】
金属イオン封鎖又はスケール生成阻止剤、陽イオン性バイオサイド又は消毒剤、界面活性剤、ｐＨ調節剤、水、洗浄又は脱脂性溶剤、補助溶剤、弱洗浄効果の水溶性有機溶剤、漂白剤及び香料から選ばれる少なくとも１種の添加剤を更に含むことを特徴とする請求項１９に記載の組成物。
【請求項２１】
台所の洗浄を意図したもので、次の成分：
・０．００１〜１重量％のポリベタイン（Ｂ）、
・１〜１０重量％の水溶性溶剤、特にイソプロパノール、
・１〜５重量％の洗浄又は脱脂性溶剤、特にブトキシプロパノール、
・０．１〜２重量％のモノエタノールアミン、
・０〜５重量％の少なくとも１種の非陽イオン界面活性剤、好ましくは両性又は非イオン界面活性剤、
・０〜１重量％の少なくとも１種の、消毒性を持つ陽イオン界面活性剤（特に、塩化（ｎ−アルキル）ジメチル（エチルベンジル）アンモニウムと塩化（ｎ−アルキル）ジメチルベンジルアンモニウムとの混合物）、
（界面活性剤の総量は１〜５０重量％であるようにし）、
・０〜２重量％の、スケール生成阻止剤としてのジカルボン酸、
・０〜５重量％の漂白剤、
・７０〜９８重量％の水
を含み、７．５〜１３、好ましくは８〜１２のｐＨを示すことを特徴とする請求項１９又は２０に記載の組成物。
【請求項２２】
５未満のｐＨを示し、無機又は有機の酸性剤を含み、重量で０．００１〜５％、好ましくは０．０１〜２％のポリベタイン（Ｂ）であることを特徴とする請求項１〜１５のいずれかに記載の組成物。
【請求項２３】
非イオン性、両性、双性イオン性若しくは陰イオン性の界面活性剤又はそれらの２種以上の混合物、陽イオン性バイオサイド又は消毒剤、増粘剤、漂白剤、水、溶剤、香料又は研磨剤から選ばれる少なくとも１種の添加剤を更に含むことを特徴とする請求項２２に記載の組成物。
【請求項２４】
大便器の洗浄を意図したもので、次の成分：
・０．０５〜５重量％、好ましくは０．０１〜２重量％のポリベタイン（Ｂ）、
・０．１〜ほぼ４０重量％、好ましくは０．５〜ほぼ１５重量％の少なくとも１種の酸性の洗浄剤、
・０．５〜１０重量％の少なくとも１種の界面活性剤、好ましくは陰イオン又は非イオン界面活性剤、
・随意としての、０．１〜２重量％の少なくとも１種の、消毒性を持つ陽イオン界面活性剤、好ましくは塩化（ｎ−アルキル）ジメチル（エチルベンジル）アンモニウムと塩化（ｎ−アルキル）ジメチルベンジルアンモニウムとの混合物、
・随意としての、０．１〜３重量％の少なくとも１種の増粘剤、好ましくはガム質、特にキサンタンガム又はスクシノグリカン、
・随意としての、１〜１０重量％の少なくとも１種の漂白剤、
・随意としての、保存剤、着色剤、香料又は研磨剤、
・５０〜９５重量％の水
を含み、０．５〜４、好ましくは１〜４のｐＨを示すことを特徴とする請求項２２又は２３に記載の組成物。
【請求項２５】
窓の洗浄を意図したもので、次の成分：
・０．００１〜１０重量％、好ましくは０．００５〜３重量％の少なくとも１種のポリベタイン（Ｂ）、
・０．００５〜２０重量％、好ましくは０．５〜１０重量％の少なくとも１種の非イオン及び（又は）陰イオン界面活性剤、
・０〜１０重量％、好ましくは０．５〜５重量％の少なくとも１種両性界面活性剤、
・水、
・０〜３０重量％、好ましくは０．５〜１５重量％の少なくとも１種の溶剤、好ましくはアルコール
を含み、６〜１１のｐＨを示すことを特徴とする請求項１〜１８のいずれかに記載の組成物。
【請求項２６】
自動食器洗い機で食器類の洗浄を意図したもので、次の成分：
・０．０１〜５重量％、有益には０．１〜３重量％の少なくとも１種のポリベタイン（Ｂ）、
・０．２〜１０重量％、有益には０．５〜５重量％の少なくとも１種の界面活性剤、好ましくは非イオン界面活性剤、及び、随意としての、
・９０重量％までの少なくとも１種の洗浄力補助剤（ビルダー）、
・１０重量％まで、好ましくは１〜１０重量％、特に２〜８重量％の少なくとも１種の補助洗浄剤、好ましくはアクリル酸とメチルプロパンスルホン酸との共重合体、
・３０重量％までの少なくとも１種の漂白剤、好ましくは過塩素酸塩又は過炭酸塩（これは漂白活性剤と一緒にしても又はしなくてもよい。）、
・５０重量％までの少なくとも１種の充填剤、好ましくは硫酸ナトリウム又は塩化ナトリウム
を含み、８〜１３のｐＨを示すことを特徴とする請求項１〜２０のいずれかに記載の組成物。
【請求項２７】
自動食器洗い機で食器類の洗浄を意図したもので、次の成分：
・０．０２〜１０重量％、好ましくは０．１〜５重量％の少なくとも１種のポリベタイン（Ｂ）、
・０．１〜２０重量％、有益には０．２〜１５重量％の少なくとも１種の界面活性剤、好ましくは非イオン界面活性剤、
・０〜１０重量％、好ましくは０．５〜５重量％の少なくとも１種のカルシウムイオン封鎖性有機酸、好ましくはくえん酸、
・０〜１５重量％、有益には０．５〜１０重量％の少なくとも１種の補助洗浄力剤、好ましくはアクリル酸と無水マレイン酸の共重合体及びアクリル酸ホモ重合体
を含み、４〜７のｐＨを示すことを特徴とする請求項１〜１８のいずれかに記載の組成物。
【請求項２８】
手による食器類の洗浄を意図したもので、次の成分：
・０．１〜１０重量％の少なくとも１種のポリベタイン（Ｂ）、
・３〜５０重量％、有益には１０〜４０重量％の少なくとも１種の界面活性剤、好ましくは陰イオン界面活性剤、及び、随意としての、
・少なくとも１種の非イオン界面活性剤、
・少なくとも１種の非陽イオン性殺菌剤又は消毒剤、好ましくはトリクロサン、
・少なくとも１種の合成陽イオン重合体、
・少なくとも１種の、混合物の粘度及び（又は）泡の安定性を制御できる重合体、
・少なくとも１種のハイドロトロピー剤、
・少なくとも１種の加水剤若しくはモイスチャライザー又は皮膚の保護剤
を含み、５〜９のｐＨを示すことを特徴とする請求項１〜１８のいずれかに記載の組成物。
【請求項２９】
自動化乗物の外部の洗浄を意図したもので、次の成分：
・０．００５〜１０重量％の少なくとも１種のポリベタイン（Ｂ）、
・０〜３０重量％、好ましくは０．１〜１５重量％の少なくとも１種の非イオン界面活性剤、
・０〜３０重量％、好ましくは０．１〜１５重量％の少なくとも１種の陰イオン界面活性剤、
・０〜３０重量％、好ましくは０．０１〜１０重量％の少なくとも１種の両性及び（又は）双性イオン界面活性剤、
・０〜３０重量％、好ましくは０．０５〜１５重量％の少なくとも１種の陽イオン界面活性剤、
（界面活性剤の最低量は少なくとも０．５重量％であるようにし）、
・０〜９９重量％、好ましくは４０〜９８重量％の少なくとも１種の洗浄力補助剤（ビルダー）、
・随意としての、ハイドロトロピー剤、充填剤又はｐＨ調節剤
を含み、８〜１３のｐＨを示すことを特徴とする請求項１〜２０のいずれかに記載の組成物。
【請求項３０】
セラミックス表面、特に浴室の洗浄を意図したもので、次の成分：
・０．０２〜５重量％の少なくとも１種のポリベタイン（Ｂ）、
・０〜３０重量％、好ましくは０〜２０重量％の少なくとも１種の非イオン界面活性剤、
・０〜３０重量％、好ましくは０〜２０重量％の少なくとも１種の陰イオン界面活性剤、
（界面活性剤の総量は０．５〜５０重量％、好ましくは１〜３０重量％、特に２〜２０重量％であるようにし）、
・０〜２５重量％、好ましくは０．１〜２５重量％の少なくとも１種の洗浄力補助剤（ビルダー）、
・０〜２重量％、好ましくは０．００５〜２重量％、特に０．５〜２重量％の泡調節剤
を含み、２〜１２のｐＨを示すことを特徴とする請求項１〜１８のいずれかに記載の組成物。
【請求項３１】
シャワー室の壁の洗浄を意図したもので、次の成分：
・０．０２〜５重量％、好ましくは０．０５〜１重量％の少なくとも１種のポリベタイン（Ｂ）、
・０．５〜５重量％の少なくとも１種の陰イオン界面活性剤、好ましくはポリエトキシル化脂肪酸エステル、
・水、
・随意としての、少なくとも１種の低級アルコール、
・随意としての、０．０１〜５重量％の少なくとも１種の金属キレート化剤
を含み、７〜１１のｐＨを示すことを特徴とする請求項１〜１８のいずれかに記載の組成物。
【請求項３２】
ガラス−セラミックスシートの洗浄を意図したもので、次の成分：
・０．０１〜５重量％の少なくとも１種のポリベタイン（Ｂ）、
・０．１〜１重量％の少なくとも１種の増粘剤、好ましくはキサンタンガム、
・１０〜６０重量％の少なくとも１種の研磨剤、好ましくは炭酸カルシウム又はシリカ、
・１〜１０重量％の少なくとも１種の非イオン界面活性剤、
・０〜７重量％の少なくとも１種の溶剤、好ましくはブチルジグリコール、
・随意としての、塩基性化剤又は金属イオン封鎖剤
を含み、７〜１２のｐＨを示すことを特徴とする請求項１〜１８のいずれかに記載の組成物。
【請求項３３】
反応器の洗浄を意図したもので、次の成分：
・０．０２〜５重量％の少なくとも１種のポリベタイン（Ｂ）、
・１〜５０重量％の少なくとも１種のアルカリ金属塩、好ましくはナトリウム又はカリウムの燐酸塩、炭酸塩又は珪酸塩、
・１〜３０重量％の界面活性剤の混合物、好ましくは非イオン界面活性剤と陰イオン界面活性剤の混合物、特にエトキシル化脂肪アルコールとラウリルベンゼンスルホン酸塩の混合物、
・０〜３０重量％の少なくとも１種の溶剤、好ましくはジイソブチルエーテル
を含み、８〜１４のｐＨを示すことを特徴とする請求項１〜１８のいずれかに記載の組成物。
【請求項３４】
水性又は水性／アルコール媒体中で硬質表面を洗浄し又はすすぎ洗いするための少なくとも１種の界面活性剤を含有する組成物に、少なくとも１種のポリベタイン（Ｂ）であって、
・１〜１４のｐＨ範囲内で、不変陰イオン総電荷及び不変陽イオン総電荷を有し（それぞれ個々のベタイン単位は不変陽イオン電荷と同数の不変陰イオン電荷を有するものとし）、及び
・５，０００〜３，０００，０００ｇ／モル、好ましくは８，０００〜１，０００，０００ｇ／モル、特に１０，０００〜５００，０００ｇ／モルの絶対重量平均分子量（Ｍw）を示す
ものを、該表面に付着し得る汚染性物質に関して、その表面に付着防止性及び（又は）密着防止性を付与するのを可能ならしめる剤としての使用。
【請求項３５】
該ポリベタイン（Ｂ）が、請求項２〜１０のいずれかに記載のポリベタインから選ばれることを特徴とする請求項３４に記載の使用。
【請求項３６】
ポリベタイン（Ｂ）が該組成物の重量の０．００１〜１０％の割合で使用されることを特徴とする請求項３４又は３５に記載の使用。
【請求項３７】
該ポリベタイン（Ｂ）が請求項１４〜３３のいずれかに記載の組成物に使用されることを特徴とする請求項３４〜３６のいずれかに記載の使用。
【請求項３８】
水性又は水性／アルコール媒体中で硬質表面を洗浄し又はすすぎ洗いするための少なくとも１種の界面活性剤を含有する組成物に、少なくとも１種のポリベタイン（Ｂ）であって、
・１〜１４のｐＨ範囲内で、不変陰イオン総電荷及び不変陽イオン総電荷を有し（それぞれ個々のベタイン単位は不変陽イオン電荷と同数の不変陰イオン電荷を有するものとし）、及び
・５，０００〜３，０００，０００ｇ／モル、好ましくは８，０００〜１，０００，０００ｇ／モル、特に１０，０００〜５００，０００ｇ／モルの絶対重量平均分子量（Ｍw）を示す
ものを添加することによって、該組成物の性質を向上させるための方法。
【請求項３９】
該ポリベタイン（Ｂ）が、請求項２〜１１のいずれかに記載のポリベタインから選ばれることを特徴とする請求項３８に記載の方法。
【請求項４０】
該ポリベタイン（Ｂ）が、該表面に付着し得る汚染性物質に関して、その表面に付着防止性及び（又は）密着防止性を付与せしめるのに十分な量で添加されることを特徴とする請求項３８又は３９に記載の方法。
【請求項４１】
ポリベタイン（Ｂ）が該組成物の重量の０．００１〜１０％の割合で使用されることを特徴とする請求項３８〜４０のいずれかに記載の方法。
【請求項４２】
該ポリベタイン（Ｂ）が請求項１４〜３３のいずれかに記載の組成物に使用されることを特徴とする請求項３８〜４１のいずれかに記載の方法。
【請求項４３】
硬質表面を少なくとも１種の界面活性剤及び少なくとも１種のポリベタイン（Ｂ）を水性媒体又は水性アルコール媒体中に含む組成物と接触させることにより該硬質表面を洗浄し又はすすぎ洗いするための方法であって、該ポリベタイン（Ｂ）が、
・１〜１４のｐＨ範囲内で、不変陰イオン総電荷及び不変陽イオン総電荷を有し（それぞれ個々のベタイン単位は不変陽イオン電荷と同数の不変陰イオン電荷を有するものとし）、及び
・５，０００〜３，０００，０００ｇ／モル、好ましくは８，０００〜１，０００，０００ｇ／モル、特に１０，０００〜５００，０００ｇ／モルの絶対重量平均分子量（Ｍw）を示す
ものであることを特徴とする、該硬質表面の洗浄又はすすぎ洗いを容易にさせるための方法。
【請求項４４】
該ポリベタイン（Ｂ）が、請求項２〜１１のいずれかに記載のポリベタインから選ばれることを特徴とする請求項４３に記載の方法。
【請求項４５】
該ポリベタイン（Ｂ）が、該表面に付着し得る汚染性物質に関して、その表面に付着防止性及び（又は）密着防止性を付与せしめるのに十分な量で存在することを特徴とする請求項４３又は４４に記載の方法。
【請求項４６】
ポリベタイン（Ｂ）が該組成物の重量の０．００１〜１０％の割合で使用されることを特徴とする請求項４３〜４５のいずれかに記載の方法。
【請求項４７】
該ポリベタイン（Ｂ）が請求項１４〜３３のいずれかに記載の組成物に使用されることを特徴とする請求項４３〜４６のいずれかに記載の方法。
【請求項４８】
該組成物が、随意のすすぎ洗いの後、そして乾燥した後に、該表面へのポリベタイン（Ｂ）の付着量が処理表面ｍ2当たり０．０００１〜１０ｍｇ、好ましくは０．００１〜１ｍｇであるような量で使用されることを特徴とする請求項４３〜４７のいずれかに記載の方法。
【請求項４９】
少なくとも１種の界面活性剤及び少なくとも１種のポリベタイン（Ｂ）を含有する、水性媒体又は水性アルコール媒体中で家庭用大便器の硬質表面を洗浄し又はすすぎ洗いするための組成物であって、該ポリベタイン（Ｂ）が、
・１〜１４のｐＨ範囲内で、不変陰イオン総電荷及び不変陽イオン総電荷を有し（それぞれ個々のベタイン単位は不変陽イオン電荷と同数の不変陰イオン電荷を有するものとし）、及び
・５，０００〜３，０００，０００ｇ／モル、好ましくは８，０００〜１，０００，０００ｇ／モル、特に１０，０００〜５００，０００ｇ／モルの絶対重量平均分子量（Ｍw）を示す
ことを特徴とするものである家庭用大便器の硬質表面の洗浄用又はすすぎ洗い用組成物。
【請求項５０】
水性又は水性／アルコール媒体中で家庭用大便器の硬質表面を洗浄し又はすすぎ洗いするための少なくとも１種の界面活性剤を含有する組成物に、少なくとも１種のポリベタイン（Ｂ）であって、
・１〜１４のｐＨ範囲内で、不変陰イオン総電荷及び不変陽イオン総電荷を有し（それぞれ個々のベタイン単位は不変陽イオン電荷と同数の不変陰イオン電荷を有するものとし）、及び
・５，０００〜３，０００，０００ｇ／モル、好ましくは８，０００〜１，０００，０００ｇ／モル、特に１０，０００〜５００，０００ｇ／モルの絶対重量平均分子量（Ｍw）を示す
ものを、該表面に付着し得る汚染性物質に関して、その表面に付着防止性及び（又は）密着防止性を付与するのを可能ならしめる剤としての使用。
【請求項５１】
水性又は水性／アルコール媒体中で家庭用大便器の硬質表面を洗浄し又はすすぎ洗いするための少なくとも１種の界面活性剤を含有する組成物に、少なくとも１種のポリベタイン（Ｂ）であって、
・１〜１４のｐＨ範囲内で、不変陰イオン総電荷及び不変陽イオン総電荷を有し（それぞれ個々のベタイン単位は不変陽イオン電荷と同数の不変陰イオン電荷を有するものとし）、及び
・５，０００〜３，０００，０００ｇ／モル、好ましくは８，０００〜１，０００，０００ｇ／モル、特に１０，０００〜５００，０００ｇ／モルの絶対重量平均分子量（Ｍw）を示す
ものを添加することによって、該組成物の性質を向上させるための方法。
【発明の詳細な説明】
【技術分野】
【０００１】
本発明の主題は、工業用、家庭用又は公共用の硬質表面、特にセラミックス、タイル、窓、金属、メラミン、フォーマイカ又はプラスチック型の硬質表面を、汚染性物質に関して、特に、該表面に持続性の付着防止及び（又は）密着防止性を付与することを目的として、処理することを意図した洗浄用又はすすぎ洗い用の組成物である。更に、このものは後者に帯電防止性、光沢又は滑り止め性を付与することができる。
【０００２】
更に詳しくは、本発明の主題は、硬質表面の処理を意図した洗浄用又はすすぎ洗い用組成物であって、汚染性物質に関して、該表面に持続性の付着防止性及び（又は）密着防止性を付与して、特に、
- 該表面に付着した水滴の乾燥（例えば、無機塩の付着）、
- 周囲空気中に存在する無機又は有機粒子の結合（超高層ビルの洗浄の場合）か又は接触により付着した無機又は有機粒子の結合（床、トイレなどの洗浄の場合）、
- 脂肪有機化合物（調理用脂肪）の飛び散りによる付着、
- 石けん及びそれらの金属塩の付着、
- ヒドロコロイド又は多糖類型の植物由来の化合物の付着
に起因するその後の斑点又は跡の存在を防止させることができる組成物である。
【背景技術】
【０００３】
市販の洗剤処方物は、工業用、家庭用又は公共用の硬質表面を効率的に清浄にさせることができる。それらは、一般的に、界面活性剤、特に非イオン及び陰イオン界面活性剤又は非イオン及び陽イオン界面活性剤、溶剤、乾燥を容易にさせるためのアルコール、随意としての金属イオン封鎖剤及びｐＨを調節するための塩基又は酸よりなる水溶液からなっている。これらの洗剤処方物においてしばしば見られる欠点は、その後の硬質表面と水の接触が乾燥後に斑点又は跡を生じるということである。更に、これらの処方物による処理は、それらの大部分について、純粋に治療的であるに過ぎず、予防的ではない。従って、工業用又は家庭用のクリーナーは、汚染された硬質表面を清浄にするのには有効であるが、該表面の将来の汚染を防止し又は制限させ或いはその後の清浄化を促進させるものではない。
【０００４】
この問題の解決策が、ＥＰ−Ａ−１１９６５２７、ＥＰ−Ａ−１１９６５２８及びＥＰ−Ａ−１１９６５２３において、表面に、清浄用又はすすぎ洗い用処方物を介して、陽イオン性単量体及び陰イオン性又は潜在的に陰イオン性の単量体から誘導された水溶性の両性有機共重合体を、該表面を親水性にさせる（又はその親水性を向上させて処理されるべき硬質表面と水滴との間で可能な限り低い接触角を得る）のに十分であるが、また水の保持をこのように処理された硬質表面にきっちりと確実にさせるのに十分な量で、付着させることによって提供された。
【０００５】
また、紡織繊維（特に、綿及びポリエステル）からできた製品を、ベタイン重合体又は共重合体、熱硬化性アミノプラスト縮合物及び触媒を含む浴（パッド浴溶液）を使用して１３０〜２００℃でパジングし、乾燥し、１３０〜２００℃で熱処理することによって、該製品に永久的な帯電防止性、汚染除去性及び（又は）殺菌性を付与することが提案された（ＵＳ−Ａ−３６７１３０５）。
【０００６】
また、繊維製品を洗浄するための洗剤組成物（ランドリー用）に、双性イオン重合体、特にポリベタイン重合体であってその陰イオン基がポリベタイン鎖を介して陽イオン基に結合しているものを、粘土質の粒状汚染性物質の除去を可能にさせる添加剤として及再付着防止剤として導入することが提案された（ＥＰ−Ｂ−１１２５９２）。
【先行技術文献】
【特許文献】
【０００７】
【特許文献１】欧州特許出願公開第１１９６５２７号明細書
【特許文献２】欧州特許出願公開第１１９６５２８号明細書
【特許文献３】欧州特許出願公開第１１９６５２３号明細書
【特許文献４】米国特許出願公開第３６７１３０５号明細書
【特許文献５】欧州特許第１１２５９２号明細書
【発明の概要】
【発明が解決しようとする課題】
【０００８】
ここに、本願発明者は、硬質表面に、洗浄用又はすすぎ洗い用組成物を介して、同じ単量体単位上で１個以上の不変（永久）の陽電荷及び１個以上の不変（永久）の陰電荷を示す（ここに、陽電荷の数は同じ単量体単位上で陰電荷の数と等しいものである。）ポリベタイン双性イオンを付着させることが、このように処理された表面上に、特に目立つ汚染性物質に関して、持続する付着防止性及び（又は）密着防止性を付与させるのを可能にさせること、更にはポリベタイン双性イオンの存在が該処方物の洗浄力を向上させることも見出した。
【０００９】
用語“持続する付着防止性及び（又は）密着防止性”とは、処理された表面が、その後の汚染性物質（例えば、雨水、分配ネットワークからの水、すすぎ洗い用物質を添加した又は添加しないすすぎ洗い用の水、飛び散った脂肪、石けんなど）との接触後も含めて、これらの性質をずっと保持することを意味するものと理解されたい。この持続する性質は、ほぼ１０回以上のすすぎ洗いサイクルにわたって、事実、多数回のすすぎ洗いが１００回以上のすすぎサイクルにわたって行なわれるある種の特定の場合（例えば、トイレの場合）においてさえも観察することができる。
【００１０】
上記の“このように処理された表面上に、付着防止性及び（又は）密着防止性を付与させる”という表現は、更に詳しくは、専ら水性の媒体中で汚染性物質と接触した処理表面が該汚染性物質を“捕捉”する傾向を有せず、しかして該表面への汚染性物質の付着を有意に削減させることを意味する。
【００１１】
上記の“このように処理された表面上に、付着防止性及び（又は）密着防止性を付与させる”という表現は、更に詳しくは、処理された表面がその上に付着してしまった汚染性物質と極くわずかに相互作用できるに過ぎず、このことが汚染した処理表面からの汚染性物質の除去を容易にさせ得ることを意味する。これは、処理表面と接触した汚染性物質の乾燥中に、汚染性物質と表面との間に生じた結合が非常に弱く、しかして、これらの結合を破断させるには洗浄操作中にそれほどエネルギーを要求しないためである。
【００１２】
ポリベタインの存在が処方物の“洗浄力を向上させる”というときは、これは、同じ量の洗浄用処方物（特に、手によって食器類を洗浄するための処方物）について、ポリベタイン双性イオンを含む処方物が、このものを欠いている処方物よりも非常に多数の汚染対象を清浄にさせるのを可能にさせることを意味する。
【００１３】
更に、ポリベタイン双性イオンの硬質表面への付着は、この表面に帯電防止性を付与するのを可能にさせる。この性質は、合成表面の場合に特に有益である。
【００１４】
硬質表面を処理するための処方物にポリベタイン双性イオンが存在することは、該表面を親水性にし又はその親水性を向上させることを可能にさせる。
更に、この表面の親水性化の性質は、該表面での凝縮物の生成を削減させる。この利点は、特に浴室における窓及び鏡の洗浄用処方物に使用することができる。更に、重合体の適用による処理直後のみならず、水性媒体とのその後の接触及び反復接触後の、表面の乾燥速度は非常に有意に改善される。
【課題を解決するための手段】
【００１５】
本発明の第一の主題は、少なくとも１種の界面活性剤及び少なくとも１種のポリベタイン（Ｂ）を含有する、水性媒体又は水性アルコール媒体中で硬質表面を洗浄し又はすすぎ洗いするための組成物であって、該ポリベタイン（Ｂ）が、
・１〜１４のｐＨ範囲内で、不変陰イオン総電荷及び不変陽イオン総電荷を有し（それぞれ個々のベタイン単位は不変陽イオン電荷と同数の不変陰イオン電荷を有するものとし）、及び
・５，０００〜３，０００，０００ｇ／モル、好ましくは８，０００〜１，０００，０００ｇ／モル、特に１０，０００〜５００，０００ｇ／モルの絶対重量平均分子量を示す
ことを特徴とするものである硬質表面の洗浄用又はすすぎ洗い用組成物よりなる。
【００１６】
用語“硬質表面”とは、広義に解釈されるべきであり、家庭用、公共用又は工業用の表面であり得る非繊維質の表面をいう。
それらは、任意の材料で、特に、次のタイプの材料でできていてよい。
- セラミックス（浴室シンク、バスタブ、壁又は床タイル、大便器などの表面）、
- ガラス（ビル又は乗物の内部若しくは外部の窓、又は鏡のような表面）、
- 金属（反応器の内壁若しくは外壁、ブレード、パネル、パイプなどのような表面）、
- 合成樹脂（例えば、自動化乗物（自動車、トラック、バス、列車、飛行機など）の本体又は外部表面、事務所、台所などの内装用のメラミン又はフォーマイカの表面）、
- プラスチックス（例えば、乗物（特に自動車）用のポリ塩化ビニル又はポリアミド）。
【００１７】
本発明に従う“硬質表面”は、非常に多孔質ではなくて非繊維質である表面である。従って、それらは、繊維質表面（天然、人工又は合成の材料からできた織物、フィテッドカーペット、織布など）から識別されるべきである。
【００１８】
処理しようとする硬質表面に、汚染性物質に関して、付着防止性及び（又は）密着防止性を付与できる本発明による組成物は、以下のものである。
・家庭用の洗浄用又はすすぎ洗い用組成物。
これは、汎用であり又はより特定的であり得る。例えば、下記の対象を洗浄し又はすすぎ洗いするための組成物である。
−浴室。この組成物は、特に、バスタブの周囲及び浴室シンクに石けん塩が付着するのを防止させ、これらの表面上にカルシウム結晶が成長し及び（又は）付着するのを防止し、その後の石けん汚れの出現を遅延させる。
−台所用。この組成物は、時間が経つにつれて架橋し得る不飽和脂肪系汚染性物質により汚染されるときに調理台の洗浄を改善するのを可能にさせる。脂質の汚れは擦ることなく水で除かれる。
−床（リノリウム、タイル又はセメント製の）。この組成物は、粘土石灰質型の粉塵又は汚染性物質（土、砂又は泥など）の除去を改善させる。床上の汚れは、単純に掃くことによりブラシ掛けすることなく綺麗にできる。更に、該組成物は、滑り止め性を付与する。
−大便器。この組成物は、表面への痕跡量の排泄物の付着を防止させる。水の洗い流しだけがこれらの痕跡量を除去させるのに十分である。ブラシの使用は不必要である。
−窓又は鏡。この組成物は、無機又は有機質の粒状汚染性物質の表面への付着を防止させる。
−手による又は自動装置を使用しての食器類。この組成物は、手による洗浄の場合には、乾燥食品からの残留汚れの除去を容易にさせ、また同じ容量の洗浄媒体でもって多数の刃物類又は用具類を洗浄するのを可能にさせる。既に湿っている刃物類及び用具類の表面は、もはやつるつるであり、従って使用者の手から落ちない。また、ピカピカの清浄効果も観察された。即ち、表面は、指による摩擦の下で“キュッキュ”と音を出す。食器洗い機で洗浄し又はすすぎ洗いする場合には、この組成物は、食品から生じる汚染性物質や不溶性無機カルシウム塩の再付着防止を可能にさせ、且つ、用具類や刃物類に輝きを付与させる。また、この組成物は、刃物類又は用具類を食器洗い機に導入する前に、もはやこれらを“予備洗浄”しなくて良いようにさせる。
【００１９】
・工業用又は公共用の洗浄用又はすすぎ洗い用組成物。これは、汎用であり又はより特定的であり得る。例えば、下記の対象：
- 反応器、スチールブレード、シンク又はタンク、
- 食器類、
- ビルの内部又は外部表面、
- アパートのビルを含めてビルの窓、
- 瓶
を洗浄するための組成物である。
【００２０】
本発明に従う組成物は、任意の形態で提供することができ、多様な方法で使用することができる。しかして、以下のような形態である。
・そのままで、特に吹付によって、
- 洗浄し又はすすぎ洗いすべき表面に直接に、或いは
- 処理すべき表面に適用する前に、スポンジ又は他の支持体（例えば、セルロースでできた製織又は不織の物品）上に
付着させるようにしたゲル化した又はゲル化してない液体。
・処理すべき表面に適用する前に、水（随意に他の溶剤を添加して）に希釈するようにしたゲル化した又はゲル化してない液体。
・水溶性の袋に入れたゲル化した又はゲル化してない液体。
・フォーム。
・エーロゾル。
・特に製織又は不織の物品でできた吸収性支持体に吸収させた液体（拭き取り）。
・固体、特に錠剤。随意に水溶性の袋に入れたもの。この組成物は、錠剤の全て又は一部をなすものである。
【００２１】
本発明を満足して実施するためには、該ポリベタイン（Ｂ）は、本発明の主題をなす組成物中に、該表面に付着し得る汚染性物質に関して、付着防止性及び（又は）密着防止性をその表面に付与するのに有効である量で存在する。
【００２２】
本発明の主題をなす該組成物は、その用途に依存して、その重量について０．００１〜１０％の少なくとも１種のポリベタイン（Ｂ）を含む。
【００２３】
本発明に従う組成物のｐＨ又は組成物の使用のｐＨは、用途及び処理すべき表面に依存して、１〜１４であり、事実０．５〜１４の間でさえあり得る。極端なｐＨ値は、工業用又は公共用の洗浄のための用途においては良くあることである。家庭用の分野では、これにかわって、ｐＨ値は、用途に依存して、１〜１３である。
【００２４】
該組成物は、随意のすすぎ洗いの後に、そして乾燥後に、硬質表面上に付着したポリベタイン（Ｂ）の量が処理された表面のｍ2当たり０．０００１〜１０ｍｇ、好ましくは０．００１〜５ｍｇであるような量で該表面を洗浄又はすすぎ洗いするために使用される。
【００２５】
別に示してなければ、分子量をいうときは、ｇ／モルで表わされる重量平均分子量をいう。これは、水性ゲル透過クロマトグラフィー（ＧＰＣ）により又は光散乱法（ＤＬＳ又は代わりにＭＡＬＬＳ）により決定することができ、重合体の組成に依存して、水性溶離剤又は有機溶離剤（たとえば、ジメチルアセトアミド、ジメチルホルムアミドなど）が使用される。
【００２６】
定義すれば、ポリベタインは、同じベタイン単量体単位上に１個以上の陽電荷及び１個以上の陰電荷を有する重合体双性イオンである。同じベタイン単量体単位上では、陽電荷の数は陰電荷の数と等しい。
【００２７】
本発明によれば、ポリベタイン（Ｂ）は、高い酸性ｐＨ及び高い塩基性ｐＨの双方で不変陰イオン電荷及び不変陽イオン電荷を示す。これらの電荷は、１〜１４の範囲内で不変である。
不変陰イオン電荷は、１個以上のスルホネート、ホスフェート、ホスホネート、ホスフィネート又はエテノレート陰イオンなどにより付与され得る。
陽イオン電荷は、窒素系（アンモニウム、ピリジニウム又はイミダゾリニウム陽イオン）、燐系（ホスホニウムなど）又は硫黄系（スルホニウムなど）の１個以上のオニウム又はイニウム陽イオンによって付与され得る。
【００２８】
好ましくは、ポリベタイン（Ｂ）のベタイン官能基は、側基によって保持される。
【００２９】
同じベタイン単量体単位について、不変陽イオン電荷を有する原子は、好ましくは、置換されていてよい多価の炭化水素基、特にアルキレン基（１個以上のヒドロキシル基により置換されていてよい）を介して不変陰イオン電荷を有する陰イオンに連結される。等しい不変陽電荷及び陰電荷を有する基は、下記の式により表わすことができる１個以上のベタイン官能基を示す。
【００３０】
窒素系の陽イオンの場合には、該官能基の中心で陽イオン電荷を及び該官能基の末端で陰イオン電荷を示す式（Ｉ）〜（Ｖ）によって、また該官能基の中心で陰イオン電荷を及び該官能基の末端で陽イオン電荷を示す式（VI）によって表わされるものである。
−Ｎ(+)（Ｒ1）（Ｒ2）−Ｒ−Ａ−Ｏ(-)                   （Ｉ）
−（Ｒ3）Ｃ＝Ｎ(+)（Ｒ4）−Ｒ−Ａ−Ｏ(-)               （II）
−（Ｒ3）（Ｒ）Ｃ−Ｎ(+)（Ｒ4）（Ｒ5）−Ｒ−Ａ−Ｏ(-)  （III）
−Ｎ(+)（＝Ｒ6）−Ｒ−Ａ−Ｏ(-)                        （IV）
−Ｎ(+)（Ｒ1）（Ｒ2）−Ｒ−Ｗ(-)                       （Ｖ）
−Ｒ−Ａ’（−Ｏ(-)）−Ｒ−Ｎ(+)（Ｒ1）（Ｒ2）（Ｒ7）  （VI）
【００３１】
式（Ｉ）〜（IV）において、
・記号Ｒ1、Ｒ2及びＲ5は、同一又は異なっていてよく、１〜７個の炭素原子、好ましくは１〜２個の炭素原子を含有するアルキル基を表わし、
・記号Ｒ3及びＲ4は、窒素原子と共に含窒素複素環（随意に１個以上の他の複素原子、特に窒素複素原子を含む。）を形成する炭化水素基を表わし、
・記号Ｒ6は、窒素原子と共に飽和又は不飽和の含窒素複素環（随意に１個以上の他の複素原子、特に窒素複素原子を含む。）を形成する炭化水素基を表わし、
・記号Ｒは、１〜１５個の炭素原子、好ましくは２〜４個の炭素原子を含有する線状若しくは分岐状のアルキレン基（１個以上のヒドロキシル基により置換されていてよい。）又はベンジレン基を表わし、
・記号ＡはＳ（＝Ｏ）（＝Ｏ）、ＯＰ（＝Ｏ）（＝Ｏ）、ＯＰ（＝Ｏ）（ＯＲ’）、Ｐ（＝Ｏ）（ＯＲ’）又はＰ（＝Ｏ）（Ｒ’）（ここで、Ｒ’は１〜７個の炭素原子を含有するアルキル基又はフェニル基を表わす。）を表わす。
【００３２】
式（Ｖ）において、
・記号Ｒ1、Ｒ2及びＲは上で示した定義を有し、
・記号Ｗは次式：
Ｏ−Ｃ（Ｏ(-)）＝Ｃ（Ｃ≡Ｎ）2
Ｏ−Ｃ（Ｏ）−Ｃ(-)（Ｃ≡Ｎ）2
Ｏ−Ｃ（Ｏ）−Ｃ（−Ｃ≡Ｎ）（＝Ｃ＝Ｎ(-)）
のエテノレート官能基を表わす。
【００３３】
式（VI）において、
・記号Ｒ1及びＲ2は上で示した定義を有し、
・記号Ｒ7は、Ｒ1又はＲ2と同一又は異なっていてよく、１〜７個の炭素原子、好ましくは１〜２個の炭素原子を含有するアルキル基を表わし、
・記号Ａ’は−Ｏ−Ｐ（＝Ｏ）−Ｏ−を表わす。
【００３４】
燐系の陽イオンの場合には、次式(VII) 及び(VIII)：
−Ｐ(+)（Ｒ1）（Ｒ2）−Ｒ−Ａ−Ｏ(-)                   （VII）
−Ｒ−Ａ’（−Ｏ(-)）−Ｒ−Ｐ(+)（Ｒ1）（Ｒ2）（Ｒ7）  （VIII）
のベタイン官能基が挙げられる。
式(VII) において、記号Ｒ1、Ｒ2、Ｒ7及びＡは上で示した定義を有する。
式（VIII）において、記号Ｒ1、Ｒ2、Ｒ7及びＲは上で示した定義を有し、
記号Ａ’は−Ｏ−Ｐ（＝Ｏ）−Ｏ−を表わす。
【００３５】
硫黄系の陽イオンの場合には、次式(IX) 及び(Ｘ)：
−Ｓ(+)（Ｒ1）−Ｒ−Ａ−Ｏ(-)                        （IX）
−Ｒ−Ａ’（−Ｏ(-)）−Ｒ−Ｓ(+)（Ｒ1）（Ｒ2）       （Ｘ）
のベタイン官能基が挙げられる。
式(IX) において、記号Ｒ1、Ｒ及びＡは上で示した定義を有する。
式（Ｘ）において、記号Ｒ1、Ｒ2及びＲは上で示した定義を有し、
記号Ａ’は−Ｏ−Ｐ（＝Ｏ）−Ｏ−を表わす。
【００３６】
ベタイン官能基は、ポリベタイン（Ｂ）の炭化水素鎖（主鎖としても知られる。）の炭素原子に、特に、２価又は多価の炭化水素単位（１個以上の複素原子（特に酸素原子）により中断されていてよい。）、エステル単位又はアミド単位或いは原子価結合を介して、連結することができる。
【００３７】
好ましくは、ポリベタイン（Ｂ）の炭化水素鎖（又は主鎖）は、１個以上の窒素及び（又は）硫黄複素原子により中断されていてよい（線状又は分岐状の）ポリアルキレン鎖である。
【００３８】
本発明に従うポリベタイン（Ｂ）は、同等のベタイン単位からなるホモ重合体又はいくつかのベタイン単位であってそのうちの少なくとも２種が異なっているものからなる共重合体であることができる。
【００３９】
該ポリベタイン（Ｂ）は、このポリベタイン（Ｂ）を含む組成物のｐＨで若しくはその組成物の使用のｐＨで非イオン性若しくは非イオノゲン性である少なくとも１個の単位及び（又は）このポリベタイン（Ｂ）を含む組成物のｐＨで若しくはその組成物の使用のｐＨで陰イオン性若しくは潜在的に陰イオン性である少なくとも１個の単位を更に含むことができる。これらの単位は、親水性又は疎水性であることができる。それらは、ポリベタイン（Ｂ）重合体の８０重量％まで、又は特に９０モル％までを占めることができる。
【００４０】
しかし、好ましくは、非イオン性、非イオノゲン性、陰イオン性又は潜在的に陰イオン性の単位は、該ポリベタイン（Ｂ）がその双性イオンの主な特徴を保持するためには数の上で制限がある。
好ましくは、ポリベタイン（Ｂ）は、その重量について、５０％未満又は特に７０モル％未満の非イオン性、非イオノゲン性、陰イオン性又は潜在的に陰イオン性の単位を含むことができる。非常に好ましくは、ポリベタイン（Ｂ）は、５０モル％未満、特に３０モル％未満の非イオン性、非イオノゲン性、陰イオン性又は潜在的に陰イオン性の単位を含むことができる。
【００４１】
存在できる非イオン性単位のうちでは、エチレン性不飽和の非イオン性単量体、例えば、アクリルアミド、酢酸ビニル（加水分解によりビニルアルコールを形成できる。）、アクリル酸及びメタクリル酸のＣ1〜Ｃ4アルキルエステル、アクリル酸及びメタクリル酸のＣ1〜Ｃ4ヒドロキシアルキルエステル、特にエチレングリコール及びプロピレングリコールのアクリル酸エステル及びメタクリル酸エステル、アクリル酸及びメタクリル酸のポリアルコキシエステル、特にポリエチレングリコール及びポリプロピレングリコールのエステルなどから誘導されるものが挙げられる。
【００４２】
３以下のｐＨで非イオノゲン性であるか又はこれよりも高いｐＨで潜在的に陰イオン性である単位のうちでは、エチレン性不飽和の単量体、例えば、下記の単量体から誘導されるものが挙げられる。
・少なくとも１個のカルボキシル官能基を有する単量体、例えば、α，β−エチレン性不飽和カルボン酸又はその相当する無水物、例えばアクリル酸、メタクリル酸、マレイン酸、アクリル酸無水物、メタクリル酸無水物、無水マレイン酸、フマル酸、イタコン酸、Ｎ−メタクロイルアラニン、Ｎ−アクリロイルオキシグリシン及びこれらの水溶性塩類、
・カルボキシレート官能基の先駆物質である単量体、例えばアクリル酸ｔ−ブチル（これは重合後に加水分解によりカルボキシル官能基を生じる。）。
【００４３】
９以上のｐＨで非イオノゲン性である単位のうちでは、エチレン性不飽和の単量体、例えば、下記の単量体から誘導されるものが挙げられる。
・α，β−モノエチレン性不飽和カルボン酸のω−（Ｎ，Ｎ−ジアルキルアミノ）アルキルアミド、例えばＮ，Ｎ−ジメチルアミノメチル−アクリルアミド若しくは−メタクリルアミド、２−（Ｎ，Ｎ−ジメチルアミノ）エチル−アクリルアミド若しくは−メタクリルアミド、３−（Ｎ，Ｎ−ジメチルアミノ）プロピル−アクリルアミド若しくは−メタクリルアミド、又は４−（Ｎ，Ｎ−ジメチルアミノ）ブチル−アクリルアミド若しくは−メタクリルアミド、
・α，β−モノエチレン性不飽和アミノ酸エステル、例えばメタクリル酸２−（ジメチルアミノ）エチル（ＤＭＡＭ）、メタクリル酸３−（ジメチルアミノ）プロピル、メタクリル酸２−（ｔ−ブチルアミノ）エチル、メタクリル酸２−（ジペンチルアミノ）エチル、又はメタクリル酸２−（ジエチルアミノ）エチル、
・アミン官能基の先駆物質である単量体、例えばＮ−ビニルホルムアミド、Ｎ−ビニルアセトアミドなど（これは簡単な酸又は塩基加水分解により第一アミン官能基を生じる。）。
【００４４】
陰イオン性単位（その第一ｐＫａは３未満である。）のうちでは、次の単量体から誘導されるものが挙げられる。
・少なくとも１個のサルフェート又はスルホネート官能基を有する単量体、例えばメタクリル酸２−スルホオキシエチル、ビニルベンゼンスルホン酸、アリルスルホン酸，２−アクリルアミド−２−メチルプロパンスルホン酸、アクリル酸若しくはメタクリル酸スルホエチル、アクリル酸若しくはメタクリル酸スルホプロピル、並びにこれらの水溶性塩類、
・少なくとも１個のホスホネート又はホスフェート官能基を有する単量体、例えばビニルホスホン酸など、エチレン性不飽和燐酸エステル、例えばメタクリル酸ヒドロキシエチルから誘導される燐酸エステル（イーエムピクリル６８３５、ロディア社製）及びメタクリル酸ポリオキシアルキレンから誘導されるもの、並びにこれらの水溶性塩類。
【００４５】
好ましくは、ポリベタイン（Ｂ）は、１〜１４の範囲のｐＨで不変陽イオン電荷と同じ数の不変陰イオン電荷を有するベタイン以外の単量体単位を含まない。他の単位が存在するならば、それらはむしろ５０モル％未満、好ましくは３０モル％未満の量の潜在的に陰イオン性の単位である。
【００４６】
ポリベタイン（Ｂ）は、特に、エチレン性不飽和ベタイン単量体、詳しくは、前記の式（Ｉ）〜（Ｘ）の少なくとも１個のベタイン官能基を有するエチレン性不飽和単量体と随意の他のエチレン性不飽和単量体の水溶液でのラジカル重合又は共重合によって得ることができる。
【００４７】
該単量体は、例示すれば、
・１個以上のモノエチレン性又はポリエチレン性不飽和炭化水素基（特に、ビニル、アリル又はスチリル基など）、
・１個以上のモノエチレン性又はポリエチレン性不飽和エステル基（特に、アクリレート、メタクリレート又はマレエート基など）、
・１個以上のモノエチレン性又はポリエチレン性不飽和アミド基（特に、アクリルアミド又はメタクリルアミド基など）
を示すことができる。
【００４８】
例示すれば、下記のベタイン単量体から誘導されるポリベタインが挙げられる。
・アクリル酸若しくはメタクリル酸ジアルキルアンモニウムアルキル又はジアルキルアンモニウムアルキルアクリルアミド若しくはメタクリルアミドのアルキル又はヒドロキシアルキルスルホン酸塩又はホスホン酸塩、例えば、下記のもの。
- 商品名ＳＰＥとしてラッシヒ社より販売されているメタクリル酸スルホプロピルジメチルアンモニオエチル
【化１】
2010100861.tif 000002
- メタクリル酸スルホエチルジメチルアンモニオエチル及びメタクリル酸スルホブチルジメチルアンモニオエチル
【化２】
2010100861.tif 000003
これらの合成は、報文“アクリル酸ｎ−ブチル及びアクリル酸２−エトキシエチルに基づくスルホベタイン双性イオン：単量体の合成及び共重合の挙動”、Ｊ．ｏｆ  Ｐｏｌｙｍｅｒ  Ｓｃｉｅｎｃｅ  ４０、５１１−５２３（２００２）に記載されている。
- メタクリル酸スルホヒドロキシプロピルジメチルアンモニオエチル
【化３】
2010100861.tif 000004
- スルホヒドロキシプロピルジメチルアンモニオプロピルアクリルアミド
【化４】
2010100861.tif 000005
この合成は、報文“ポリ（スルホベタイン）の合成及び溶解度並びに相当する陽イオン重合体：１．スルホベタイン及び相当する陽イオン重合体の合成及び核磁気共鳴スペクトルによる特徴付け”、ウエン−フー  リー及びチャン−チャン  ツァイ、Ｐｏｌｙｍｅｒ、３５（１０）、２２１０−２２１７（１９９４）に記載されている。
- 商品名ＳＰＰとしてラッシヒ社より販売されているスルホプロピルジメチルアンモニオプロピルメタクリルアミド
【化５】
2010100861.tif 000006
- スルホヒドロキシプロピルジメチルアンモニオプロピルメタクリルアミド
【化６】
2010100861.tif 000007
- メタクリル酸スルホプロピルジエチルアンモニオエチル
【化７】
2010100861.tif 000008
この合成は、報文“ポリ（スルホプロピルベタイン）：１．合成及び特徴付け”、Ｖ．Ｍ．モンリー・ソト及びＪ．Ｃ．ガリン、Ｐｏｌｙｍｅｒ、１９８４，Ｖｏｌ．２５、１２１−１２８に記載されている。
【００４９】
・複素環式ベタイン単量体、例えば、下記のもの。
- ピペラジンから誘導されるスルホベタイン
【化８】
2010100861.tif 000009
これらの合成は、報文“疎水的に変性された双性イオン重合体：合成、大部分の特性及び無機塩類との混和性”、Ｐ．コベルレ及びＡ．ラシュースキー、Ｍａｃｒｏｍｏｌｅｃｕｌｅｓ、２７、２１６５−２１７３（１９９４）に記載されている。
- ２−ビニルピリジン及び４−ビニルピリジンから誘導されるスルホベタイン、例えば、商品名ＳＰＶとしてラッシヒ社より販売されている２−ビニル−１−（３−スルホプロピル）ピリジニウムベタイン（２ＳＰＶ）
【化９】
2010100861.tif 000010
及び４−ビニル−１−（３−スルホプロピル）ピリジニウムベタイン（４ＳＰＶ）
【化１０】
2010100861.tif 000011
これらの合成は、報文“透過電子顕微鏡によるいくつかの両性重合体におけるイオン凝集体の証拠”、Ｖ．Ｍ．カスタノー、Ａ．Ｅ．ゴンザレス、Ｊ．カルドソ、Ｏ．マネロ及びＶ．Ｍ．モンロイ、Ｊ．Ｍａｔｔｅｒ．Ｒｅｓ．、５（３）、６５４−６５７（１９９０）に記載されている。
- １−ビニル−３−（３−スルホプロピル）イミダゾリウムベタイン
【化１１】
2010100861.tif 000012
この合成は、報文“ポリ（ビニルイミダゾリウムスルホベタイン）の水溶液の性質”、Ｊ．Ｃ．サラモン、Ｗ．ボルクソン、Ａ．Ｐ．オイソン、Ｓ，Ｃ．イスラエル、Ｐｏｌｙｍｅｒ、１９、１１５７−１１６２（１９７８）に記載されている。
【００５０】
・ジアルキルアンモニウムアルキルアリル化合物のアルキル又はヒドロキシアルキルスルホン酸塩又はホスホン酸塩、例えば、スルホプロピルメチルジアリルアンモニウムベタイン。
【化１２】
2010100861.tif 000013
この合成は、報文“双性イオン性ジアリルアンモニウム単量体から作られた新規なポリ（カルボベタイン）”、ファブレス  フィリップ及びラシュースキー  アンドレ、Ｍａｃｒｏｍｏｌｅｃｕｌａｒ  Ｃｈｅｍ．ａｎｄ  Ｐｈｙｓ．、２００（４）、８８７−８９５（１９９９）に記載されている。
【００５１】
・ジアルキルアンモニウムアルキルスチレンのアルキル又はヒドロキシアルキルスルホン酸塩又はホスホン酸塩、例えば、下記のもの。
【化１３】
2010100861.tif 000014
これらの合成は、報文“疎水的に変性された双性イオン重合体：合成、大部分の特性及び無機塩類との混和性”、Ｐ．コベルレ及びＡ．ラシュースキー、Ｍａｃｒｏｍｏｌｅｃｕｌｅｓ、２７、２１６５−２１７３（１９９４）に記載されている。
【００５２】
・エチレン性不飽和無水物とジエンから生じるベタイン、例えば、下記のもの。
【化１４】
2010100861.tif 000015
これらの合成は、報文“疎水的に変性された双性イオン重合体：合成、大部分の特性及び無機塩類との混和性”、Ｐ．コベルレ及びＡ．ラシュースキー、Ｍａｃｒｏｍｏｌｅｃｕｌｅｓ、２７、２１６５−２１７３（１９９４）に記載されている。
【００５３】
・ホスホベタイン、例えば、下記のもの。
【化１５】
2010100861.tif 000016
ＭＰＣ及びＶＰＣの合成は、ＥＰ８１０２３９Ｂ１（生体適合性物、アリスター他）に開示されている。
【００５４】
・環状アセタールから生じるベタイン、例えば、（（ジシアノエタノレート）エトキシ）ジメチルアンモニウムプロピルメタクリルアミド。
【化１６】
2010100861.tif 000017
この合成は、Ｍ−Ｌ．プジョール−フォルチンにより報文“新規な疎水性で高双極性ポリ（双性イオン）としてのポリ（アンモニウムアルコキシジシアナトエテノレート）：１．合成”、Ｍａｃｒｏｍｏｌｅｃｕｌｅｓ、２４、４５２３−４５３０（１９９１）に記載されている。
【００５５】
また、本発明に従うポリベタイン（Ｂ）は、既知の方法で先駆重合体と称する重合体の化学的変性により得ることができる。しかして、ポリスルホベタインは、スルトン（プロパンスルトン、ブタンスルトン）、ハロアルキルスルホン酸塩又は任意の他のスルホン化求電子化合物を使用して、側基のアミン官能基を含む重合体を化学的に変性することによって得ることができる。
【００５６】
いくつかの合成例を以下に示す。
【化１７】
2010100861.tif 000018
【００５７】
スルトン及びハロアルキルスルホン酸塩による先駆重合体の化学的変性によるポリスルホベタインへの主なアクセス経路は、特に下記の文献に記載されている。
・“側鎖にスルホベタイン部分を含有する共重合体の合成及び水溶液の挙動”、Ｉ．Ｖ．ベルリノバ、Ｉ．Ｖ．ジミトロフ、Ｒ．Ｇ．カリノバ、Ｎ．Ｇ．ブラジミノフ、Ｐｏｙｍｅｒ、４１、８３１−８３７（２０００）、
・“ポリ（スルホベタイン）及び相当する陽イオン重合体：３．スチレン−無水マレイン酸から誘導されるポリ（スルホベタイン）の合成及び希薄水溶液の性質”、ウエン−フー  リー及びチャン−シン  リー、Ｐｏｌｙｍｅｒ、３８（４）、９７１−９７９（１９９７）、
・“ポリ（スルホベタイン）及び相当する陽イオン重合体：VIII．陽イオン性ポリ（沃化メチル４級化スチレン−Ｎ，Ｎ−ジメチルアミノプロピルマレアミド酸）共重合体の合成及び水溶液の性質”、ウエン−フー  リー及びテェン  ヤン−ミン”、Ｊ．ｏｆ  Ａｐｐｌｉｅｄ  Ｐｏｌｙｍｅｒ  Ｓｃｉｅｎｃｅ、８０、１６１９−１６２６（２００１）、
・“狭い分子量分布のポリベタインの合成及び制御された構成”、アンドルー  Ｂ．ロウエ、ノーマン  Ｃ．ビリンガム及びスチーブン  Ｐ．アームズ、Ｃｈｅｍ．Ｃｏｍｍｕｎ．、１５５５−１５５６（１９９６）、
・“低多分散性ポリ（スルホプロピルベタイン）及びそれらのブロック共重合体の合成及び性質”、アンドルー  Ｂ．ロウエ、ノーマン  Ｃ．ビリンガム及びスチーブン  Ｐ．アームズ、Ｍａｃｒｏｍｏｌｅｃｕｌｅｓ、３２、２１４１−２１４６（１９９９）、
・“特開平１１−３４９８２６として１９９９年１２月２１日に公開された日本特許公開”。
【００５８】
化学的変性によるポリホスホナトベタイン及びポリホスフィナトベタインの製造は、“新規な重合体ホスホナト−、ホスフィナト−及びカルボキシ−ベタイン”、Ｔ．ハメイド、Ｍａｃｒｏｍｏｌｅｃｕｌａｒ  Ｃｈｅｍｉｓｔｒｙ、１８７、１０９７−１１０７（１９８６）に報告されている。
【００５９】
好ましくは、ポリベタイン（Ｂ）は、メタクリル酸ジアルキルアンモニウムアルキル又はジアルキルアンモニウムアルキルメタクリルアミドのアルキルスルホン酸塩又はヒドロキシアルキルスルホン酸塩及びビニルピリジンから誘導されるスルホベタインから選ばれる。更に好ましくは、それらは、ジアルキルアンモニウムメタクリルアミドのアルキルスルホン酸塩又はヒドロキシアルキルスルホン酸塩である。
【００６０】
従って、好ましくは、ポリベタイン（Ｂ）は下記のものから選ばれる。
・次式（−ＳＰＥ−）、（−ＳＰＰ−）、（−ＳＨＰＥ−）及び（−ＳＨＰＰ−）の単位から選ばれるベタイン単位より形成されたホモ重合体。
【化１８】
2010100861.tif 000019
【化１９】
2010100861.tif 000020
【化２０】
2010100861.tif 000021
【化２１】
2010100861.tif 000022
・２−ビニルピリジンから誘導される次式：
【化２２】
2010100861.tif 000023
のスルホベタインのホモ重合体。
【００６１】
・複数のベタイン単位であって、そのうちの少なくとも２種が異なっていて且つ前記の式（−ＳＰＥ−）、（−ＳＰＰ−）、（−ＳＨＰＥ−）及び（−ＳＨＰＰ−）の単位から選ばれるものより形成された共重合体。
【００６２】
・前記の式（−ＳＰＥ−）、（−ＳＰＰ−）、（−ＳＨＰＥ−）及び（−ＳＨＰＰ−）の単位から選ばれる同一又は異なったベタイン単位とメタクリル酸単位より形成された共重合体（ここに、メタクリル酸単位の量は該共重合体の５０モル％未満、好ましくは３０モル％未満である。）。
【００６３】
非常に好ましくは、式（−ＳＰＥ−）、（−ＳＰＰ−）、（−ＳＨＰＥ−）及び（−ＳＨＰＰ−）の単位から選ばれるベタイン単位を含むホモ重合体又は共重合体は、１０，０００〜１５０，０００ｇ／モルの絶対重量平均分子量（Ｍw）を示す。
【００６４】
本発明に従う洗浄用又はすすぎ洗い用組成物は、更に、少なくとも１種の界面活性剤を含む。このものは、非イオン性、陰イオン性、両性、双性イオン性又は陽イオン性であることができる。
【００６５】
陰イオン界面活性剤のうちでは、例えば下記のものが挙げられる。
・式：Ｒ−ＣＨ（ＳＯ3Ｍ）ＣＯＯＲ’（ここに、ＲはＣ8〜Ｃ20、好ましくはＣ10〜Ｃ16アルキル基を表わし、Ｒ’はＣ1〜Ｃ6、好ましくはＣ1〜Ｃ3アルキル基を表わし、Ｍはアルカリ金属（ナトリウム、カリウム又はリチウム）陽イオン、置換若しくは非置換アンモニウム（メチル、ジメチル、トリメチル又はテトラメチルアンモニウム、ジメチルピリジニウムなど）陽イオン又はアルカノールアミン（モノエタノールアミン、ジエタノールアミン、トリエタノールアミンなど）から誘導される陽イオンを表わす。）のアルキルエステルスルホン酸塩。特に、Ｒ基がＣ14〜Ｃ16基であるメチルエステルスルホン酸塩が挙げられる。
・式：ＲＯＳＯ3Ｍ（ここに、ＲはＣ5〜Ｃ24、好ましくはＣ10〜Ｃ18アルキル又はヒドロキシアルキル基を表わし（例えば、コプラ及び獣脂から誘導される脂肪酸の塩類）、Ｍは水素原子又は前記したような同じ定義を有する陽イオンを表わす。）のアルキル硫酸塩並びにそれらのエトキシレン（ＥＯ）及び（又は）プロポキシレン（ＰＯ）化誘導体（平均して０．５〜３０個、好ましくは０．５〜１０個のＥＯ及び（又は）ＰＯ単位を有する。）。
・式：ＲＣＯＮＨＲ’ＯＳＯ3Ｍ（ここに、ＲはＣ2〜Ｃ22、好ましくはＣ6〜Ｃ20アルキル基を表わし、Ｒ’はＣ2〜Ｃ3アルキル基を表わし、Ｍは水素原子又は前記したような同じ定義を有する陽イオンを表わす。）のアルキルアミド硫酸塩並びにそれらのエトキシレン（ＥＯ）及び（又は）プロポキシレン（ＰＯ）化誘導体（平均して０．５〜６０個のＥＯ及び（又は）ＰＯ単位を有する。）。
・飽和若しくは不飽和のＣ8〜Ｃ24、好ましくはＣ14〜Ｃ20脂肪酸の塩類、Ｃ9〜Ｃ20アルキルベンゼンスルホン酸塩、第一若しくは第二Ｃ8〜Ｃ22アルキルスルホン酸塩、アルキルグリセリンスルホン酸塩、ＧＢ−Ａ−１０８２１７９に開示されたスルホン化ポリカルボン酸、パラフィンスルホン酸塩、Ｎ−アシル−Ｎ−アルキルタウリン酸塩、イセチオン酸塩、アルキルこはく酸塩、アルキルスルホこはく酸塩、スルホこはく酸塩のモノエステル若しくはジエステル、Ｎ−アシルサルコシネート、アルキルグリコシド硫酸塩、ポリエトキシカルボン酸塩、モノグリセリド硫酸塩及び脂肪酸クロリドとヒドロキシアルキルスルホン酸塩との縮合物。これらの塩の陽イオンは、アルカリ金属（ナトリウム、カリウム又はリチウム）、置換若しくは非置換アンモニウム（メチル−、ジメチル−、トリメチル−又はテトラメチルアンモニウム、ジメチルピペリジウムなど）残基又はアルカノールアミン（モノエタノールアミン、ジエタノールアミン、トリエタノールアミンなど）から誘導される残基であることができる。
・アルキル燐酸塩、又はアルキル若しくはアルキルアリール燐酸塩エステル、例えば商品名ロダファックＲＡ６００、ロダファックＰＡ１５又はロダファックＰＡ２３（ロディア社より販売されている。）。これらの塩の陽イオンは、アルカリ金属（ナトリウム、カリウム又はリチウム）、置換若しくは非置換アンモニウム（メチル−、ジメチル−、トリメチル−又はテトラメチルアンモニウム、ジメチルピペリジウムなど）残基又はアルカノールアミン（モノエタノールアミン、ジエタノールアミン、トリエタノールアミンなど）から誘導される残基であることができる。
【００６６】
非イオン界面活性剤の説明がＵＳ−Ａ−４２８７０８０及びＵＳ−Ａ−４４７０９２３に示されている。特に、アルキレンオキシド（特に、エチレンオキシド及び随意のプロピレンオキシド）とアルコール、ポリオール、アルキルフェノール、脂肪酸エステル、脂肪酸アミド及び脂肪アミン、アミンオキシド、糖誘導体（例えば、アルキルポリグリコシド、又は脂肪酸と糖とのエステル、特にサッカロースモノパルミテート）、長鎖（８〜２８個の炭素原子を有する）第三ホスフィンオキシド、ジアルキルスルホキシド、ポリオキシエチレンとポリオキシプロピレンとのブロック共重合体、ソルビタンのポリアルコキシル化エステル、ソルビタンの脂肪酸エステル、ポリ（エチレンオキシド）又は疎水性を付与するように変性された脂肪酸アミド（例えば、１０〜１８個の炭素原子を有する脂肪酸モノ−又はジ−エタノールアミド）との縮合物が挙げられる。
【００６７】
特に、下記のものが挙げられる。
・２〜５０個のオキシアルキレン（オキシエチレン及び（又は）オキシプロピレン）単位を含むポリオキシアルキレン化Ｃ8〜Ｃ18脂肪族カルボン酸、特に１２個（平均）の炭素原子を有するもの又は１８個（平均）の炭素原子を有するもの。
・２〜５０個のオキシアルキレン（オキシエチレン及び（又は）オキシプロピレン）単位を含むポリオキシアルキレン化Ｃ6〜Ｃ24脂肪族アルコール、特に１２個（平均）の炭素原子を有するもの又は１８個（平均）の炭素原子を有するもの。アンタロックスＢ１２ＤＦ、アンタロックスＦＭ３３、アンタロックスＦＭ６３及びアンタロックスＶ７４（ロディア社製）、プルラファックＬＦ４００及びプルラファックＬＦ２２０（ＢＡＳＦ社製）、ロダサーフＩＤ０６０、ロダサーフＩＤ０７０及びロダサーフＬＡ４２（ロディア社製）、並びにシンペロニックＡ５、Ａ７及びＡ９（ＩＣＩ社製）が挙げられる。
・アミンオキシド、例えばドデシルジ（２−ヒドロキシエチル）アミンオキシド、
・ホスフィンオキシド、例えばテトラデシルジメチルホスフィンオキシド。
【００６８】
両性界面活性剤のうちでは、下記のものが挙げられる。
・イミノジプロピオン酸ナトリウム又はアルキルイミノプロピオン酸ナトリウム、例えば、ミラティンＨ２Ｃ  ＨＡ及びミラティンＪＣ  ＨＡ（ロディア社製）、
・アンフォ酢酸アルキル又はアンフォ二酢酸アルキル（このアルキル基は６〜２０個の炭素原子を含有する。）、例えばミラノールＣ２Ｍ  ＣｏｎｃＮＰ（ロディア社より販売）、
・両性アルキルポリアミン誘導体、例えば、アンフィオニックＸＬ（登録商標）（ロディア社より販売）並びにアンフォラック７Ｔ／Ｘ及びアンフォラック７Ｃ／Ｘ（登録商標）（ベロールノーベル社より販売）。
【００６９】
双性イオン界面活性剤のうちでは、ＵＳ５１０８６６０に開示されたものが挙げられる。
好ましい双性イオン界面活性剤は、アルキルジメチルベタイン、アルキルアミドプロピルジメチルベタイン、アルキルジメチルスルホベタイン又はアルキルアミドプロピルジメチルスルホベタイン、例えばミラティンＪＣＨＡ、ミラティンＨ２ＣＨＡ又はミラティンＣＢＳ（ロディア社より販売）、或いはシェレックス社より商品名“バリオンＣＡＤＧベタイン”及び“バリオンＣＡＳスルホベタイン”として販売されている同じタイプのもの、或いは脂肪酸と蛋白加水分解物との縮合生成物である。
また、その他の双性イオン界面活性剤がＵＳ−Ａ−４２８７０８０及びＵＳ−Ａ−４５５７８５３に開示されている。
【００７０】
陽イオン界面活性剤のうちでは、次式：
Ｒ1Ｒ2Ｒ3Ｒ4Ｎ+Ｘ-
（ここで、
Ｒ1、Ｒ2及びＲ3は、同一又は異なっていてもよく、Ｈ又は４個以下の炭素原子、好ましくは１若しくは２個の炭素原子を含有するアルキル基（１個以上のヒドロキシル基により置換されていてよい。）を表わし、或いは窒素原子Ｎ+と一緒になって少なくとも１個の芳香族環又は複素環式環を形成でき、
Ｒ4はＣ8〜Ｃ22、好ましくはＣ12〜Ｃ22アルキル若しくはアルキレン基又はアリール若しくはベンジル基を表わし、
Ｘ-は安定化陰イオン、例えばハロゲン化物（例えば塩化物、臭化物又は沃化物）、スルフェート若しくはアルキルスルフェート（メチルスルフェート）、カルボキシレート（アセテート、プロピオネート又はベンゾエート）、アルキルスルホネート又はアリールスルホネートを表わす。）
の第四アンモニウム塩が挙げられる。
【００７１】
特に、臭化ドデシルトリメチルアンモニウム、臭化テトラデシルトリメチルアンモニウム、臭化セチルトリメチルアンモニウム、塩化ステアリルピリジニウム、ロダカートＴＦＲ（登録商標）及びロダミンＣ１５（登録商標）（ともにロディア社より販売されている。）、塩化セチルトリメチルアンモニウム（コニス社製のデヒカートＡＣＡ及び（又は）ＡＯＲ）又は塩化ココビス（２−ヒドロキシエチル）エチルアンモニウム（アクゾノーベル社製のエトカードＣ１２）が挙げられる。
【００７２】
また、他の陽イオン界面活性剤、例えば、次式：
Ｒ1'Ｒ2'Ｒ3'Ｒ4'Ｎ+Ｘ-
（ここで、
Ｒ1'及びＲ2'は、同一又は異なっていてもよく、Ｈ又は４個以下の炭素原子、好ましくは１若しくは２個の炭素原子を含有するアルキル基（１個以上のヒドロキシル基により置換されていてよい。）を表わし、或いは窒素原子Ｎ+と一緒になって複素環式環を形成でき、
Ｒ3'及びＲ4'はＣ8〜Ｃ22、好ましくはＣ10〜Ｃ22アルキル若しくはアルキレン基又はアリール若しくはベンジル基を表わし、
Ｘ-は陰イオン、例えばハロゲン化物（例えば塩化物、臭化物又は沃化物）、スルフェート若しくはアルキルスルフェート（メチルスルフェート）、カルボキシレート（アセテート、プロピオネート又はベンゾエート）、アルキルスルホネート又はアリールスルホネートを表わす。）
の第四アンモニウム塩が挙げられる。
【００７３】
特に、
・塩化ジアルキルジメチルアンモニウム、例えば塩化ジタロウジメチルアンモニウム又はメチル硫酸ジタロウジメチルアンモニウムなど、或いは塩化アルキルベンジルジメチルアンモニウム、
・（Ｃ10〜Ｃ25）アルキルイミダゾリウム塩、例えばメチル硫酸（Ｃ10〜Ｃ25）アルキルイミダゾリウム、
・置換ポリアミンの塩類、例えばＮ−タロウ−Ｎ，Ｎ’，Ｎ’−トリエタノール−１，３−プロピレンジアミン二塩化物又はジ（メチル硫酸塩）、或いはＮ−タロウ−Ｎ，Ｎ，Ｎ’，Ｎ’，Ｎ’−ペンタメチル−１，３−プロピレンジアミン二塩化物
が挙げられる。
【００７４】
適切な界面活性剤の更なる例は、周知の教本であるシュワルツ及びペリー著“界面活性剤”第Ｉ巻、シュワルツ、ペリー及バーチ著“界面活性剤及び洗剤”第II巻に示された界面活性剤として一般に使用されている化合物である。
【００７５】
界面活性剤は、本発明の組成物の重量について、界面活性剤の種類及び洗浄用組成物の目的によるが、０．００５〜６０％、特に０．５〜４０％を占める。
【００７６】
有利には、ポリベタイン（Ｂ）／界面活性剤の重量比は、１／１〜１／１，０００、有益には１／２〜１／２００である。
【００７７】
本発明による洗浄用又はすすぎ洗い用組成物は、更に、硬質表面を洗浄し又はすすぎ洗いする他の組成物中に存在する慣用の添加剤から特に選ばれる少なくとも１種の他の添加剤を含むことができる。特に下記のものが挙げられる。
【００７８】
キレート化剤、特に、水溶性アミノホスホン酸塩及び有機ホスホン酸塩系のもの、例えば、
- １−ヒドロキシエタン−１，１−ジホスホネート、
- アミノトリ（メチレンジホスホネート）、
- ビニルジホスホネート、
- ビニルホスホン酸又はビニルジホスホン酸のオリゴマー又は重合体の塩類、
- ビニルホスホン酸又はビニルジホスホン酸とアクリル酸及び（又は）無水マレイン酸及び（又は）ビニルスルホン酸及び（又は）アクリルアミドメチルプロパンスルホン酸とのランダム共オリゴマー又は共重合体の塩類、
- ホスホン化ポリカルボン酸の塩類、
- ホスホネート末端基を有するポリアクリル酸塩、
- ビニルホスホン酸又はビニルジホスホン酸とアクリル酸との共テロマーの塩
が挙げられ、例えば、ブリケスト（登録商標）範囲のもの或いはミラポールＡ３００又は４００（ロディア社製）である。
（該洗浄用組成物の総重量について０〜１０％、好ましくは０〜５％の割合である。）
【００７９】
金属イオン封鎖又はスケール生成阻止剤、例えば、
・ポリカルボン酸又はそれらの水溶性塩類及びカルボン酸重合体又は共重合体の水溶性塩類、例えば、
- ポリカルボン酸塩又はヒドロキシポリカルボン酸塩エーテル、
- ポリ酢酸又はそれらの塩類（ニトリロ酢酸、Ｎ，Ｎ−ジカルボキシメチル−２−アミノペンタン二酸、エチレンジアミン四酢酸、ジエチレントリアミン五酢酸、エチレンジアミン四酢酸塩、ニトリロ酢酸塩又はＮ−（２−ヒドロキシエチル）ニトリロ二酢酸塩）、
- （Ｃ5〜Ｃ20アルキル）こはく酸の塩類、
- ポリカルボン酸アセタールエステル、
- ポリアスパラギン酸又はポリグルタミン酸の塩類、
- くえん酸、アジピン酸、グルコン酸若しくは酒石酸又はそれらの塩類、
・アクリル酸と無水マレイン酸との共重合体又はアクリル酸ホモ重合体、例えば、ロドリンＤＰ２２６３５（ロディア社製）及びソカランＣＰ５（ＢＡＳＦ社製）（該洗浄用組成物の総重量について０〜１０％の割合で）、
・スルホン化ポリビニルスチレン又はそれらとアクリル酸、メタクリル酸などとの共重合体（該洗浄用組成物の総重量について０〜１０％の割合で）。
【００８０】
下記のタイプの無機ビルダー（界面活性剤の表面性質を改善させる洗浄力補助剤）、
・アルカリ金属、アンモニウム又はアルカノールアミンのポリ燐酸塩、例えばロジアフォスＨＤ７（ロディア社より販売）（該洗浄用組成物の総重量について０〜７０％の割合で）、
・アルカリ金属ピロ燐酸塩、
・ＳｉＯ2／Ｍ2Ｏ比が１〜４、好ましくは１．５〜３．５、特に１．７〜２．８であり得るアルカリ金属珪酸塩（これらは、非晶質珪酸塩又は層状珪酸塩であってよく、例えば、Ｎａ2Ｓｉ2Ｏ5のα、β、γ及びδ相があり、参照番号ＮａＳＫＳ−５、ＮａＳＫＳ−７、ＮａＳＫＳ−１１及びＮａＳＫＳ−６（クラリアント社製）として販売されている。）、
・アルカリ金属又はアルカリ度金属の硼酸塩、炭酸塩、重炭酸塩又はセスキ炭酸塩（該洗浄用組成物の総重量についてほぼ５０％までなり得る量で）、
・ＳｉＯ2／Ｍ2Ｏ比が１．５〜３．５であり得るアルカリ金属珪酸塩水和物とアルカリ金属（ナトリウム又はカリウム）炭酸塩との共顆粒（ｃｏｇｒａｎｕｌｅ）。乾燥珪酸塩に関して、珪酸塩と会合した水の重量含有量が少なくとも３３／１００である共顆粒が挙げられる。炭酸塩に対する珪酸塩の重量比は５／９５〜４５／５５、好ましくは１５／８５〜３５／６５の範囲で、例えばＥＰ−Ａ−４８８８６８及びＥＰ−Ａ−５６１６５６に開示されるようなもの。例えば、ナビオン１５（ロディア社より販売）。
（ビルダーの総量は、該洗浄用又はすすぎ洗い用組成物の総重量の９０％までを占めることが可能である。）
【００８１】
過硼酸塩又は過炭酸塩型の漂白剤。これらは、アセチル化漂白活性剤、例えばＮ，Ｎ，Ｎ’，Ｎ’−テトラアセチルエチレンジアミン（ＴＡＥＤ）、又はクロルイソシアヌル酸塩型の塩素化生成物、又はアルカリ金属次亜塩素酸塩型の塩素化生成物、又は過酸化水素水溶液と一緒にでき又はしなくてもよい（該洗浄用組成物の総重量について０〜３０％の割合で）。
【００８２】
硫酸ナトリウム、塩化ナトリウム、炭酸ナトリウム、炭酸カルシウム、カオリン又はシリカ型の充填剤（該洗浄用組成物の総重量について０〜５０％の割合で）。
【００８３】
遷移金属、特に鉄、マンガン及びコバルト錯体を含む漂白触媒、例えば、ＵＳ−Ａ−４７２８４５５、同５１１４６０６及び同５２８０１１７、ＥＰ−Ａ９０９８０９、ＵＳ−Ａ−５５５９２６１、ＷＯ９６／２３８５９、ＷＯ９６／２３８６０及び同９６／２３８６１に開示された［ＭｎIV2（μ−Ｏ）3（Ｍｅ3ＴＡＣＮ）2］（ＰＦ6）2、［ＦｅII（ＭｅＮ4ｐｙ）（ＭｅＣＮ）］（ＣｌＯ4）2、［（ＣｏIII）（ＮＨ3）5（ＯＡｃ）］（ＯＡｃ）2型のもの（該洗浄用組成物の総重量について０〜５％の割合で）。
【００８４】
洗浄用又はすすぎ洗い用媒体に可溶性である、組成物のｐＨに影響する薬剤、特に、下記のものが挙げられる。
- 塩基性付与剤（アルカリ金属の燐酸塩、炭酸塩若しくは過硼酸塩又はアルカリ金属水酸化物）、或いは
- 随意の、洗剤用酸性付与剤、例えば無機酸（燐酸、ポリ燐酸、スルファミン酸、塩酸、弗化水素酸、硫酸、硝酸又はクロム酸）、カルボン酸又はポリカルボン酸（酢酸、ヒドロキシ酢酸、アジピン酸、くえん酸、ぎ酸、フマル酸、グルコン酸、グルタル酸、グリコール酸、りんご酸、マレイン酸、乳酸、マロン酸、しゅう酸、こはく酸及び酒石酸）、或いはこれらの酸の塩類、例えば重硫酸ナトリウム又はアルカリ金属重炭酸塩及びセスキ炭酸塩。
【００８５】
混合物の粘度及び（又は）使用中に形成される泡の安定性を制御するのに使用される重合体、例えば、セルロース誘導体又はグアー誘導体（カルボキシメチルセルロース、ヒドロキシエチルセルロース、ヒドロキシプロピルグアー、カルボキシメチルグアー、カルボキシメチルヒドロキシプロピルグアーなど）、キサンタンガム、スクシノグリカン（レオザン（登録商標）、ロディア社より販売）、ローカストビーンガム又はカラジーナン（該洗浄用組成物の総重量について０〜２％の割合で）。
【００８６】
ハイドロトロピー剤、例えば、短鎖Ｃ2〜Ｃ8アルコール、特にエタノール、ジオール類及びグリコール類、例えばジエチレングリコール又はジプロピレングリコール、キシレンスルホン酸ナトリウム又はナフタリンスルホン酸ナトリウム（該組成物の１００ｇ当たり０〜１０ｇの割合で）。
【００８７】
皮膚のための加水剤又はモイスチャーライザー、例えばグリセリン又は尿素、或いは皮膚の保護材、例えば蛋白又は蛋白加水分解産物、植物油、例えば大豆油、或いは陽イオン重合体、例えば陽イオン性グアー誘導体（ジャグアーＣ１３Ｓ、ジャグアーＣ１６２又はハイケア１０００（共に登録商標）、ロディア社より販売）（該洗浄用組成物の総重量について０〜４０％の割合で）。
【００８８】
バイオサイド又は消毒剤。例えば、下記のものが挙げられる。
・陽イオン性バイオサイド、例えば、
* モノ（第四アンモニウム）塩、例えば、
- 塩化ココアルキルベンジルジメチルアンモニウム、（Ｃ12〜Ｃ14アルキル）ベンジルジメチルアンモニウム、ココアルキルジクロルベンジルジメチルアンモニウム、テトラデシルベンジルジメチルアンモニウム、ジデシルジメチルアンモニウム又はジオクチルジメチルアンモニウム、
- 臭化ミリスチルトリメチルアンモニウム又はセチルトリメチルアンモニウム、
* モノ第四複素環式アミン塩、例えば塩化ラウリルピリジニウム、セチルピリジニウム又は（Ｃ12〜Ｃ14アルキル）ベンジルイミダゾリウム、
* （脂肪アルキル）トリフェニルホスホニウム塩、例えば臭化ミリスチルトリフェニルホスホニウム、
* 重合体バイオサイド、例えば、次の反応：
- エピクロルヒドリンとジメチルアミン又はジエチルアミンとの、
- エピクロルヒドリンとイミダゾールとの、
- １，３−ジクロル−２−プロパノールとジメチルアミンとの、
- １，３−ジクロル−２−プロパノールと１，３−ビス（ジメチルアミノ）−２−プロパノールとの、
- 二塩化エチレンと１，３−ビス（ジメチルアミノ）−２−プロパノールとの、
- ビス（２−クロルエチル）エーテルとＮ，Ｎ’−ビス（ジメチルアミノプロピル）−尿素又は−チオ尿素との
反応から誘導されるもの、
- ビグアニジン重合体塩酸塩、例えばバントシルＩＢ、
・両性バイオサイド、例えば、Ｎ−［Ｎ’−（Ｃ8〜Ｃ18アルキル）−３−アミノプロピル］グリシン、Ｎ−｛Ｎ’−［Ｎ”−（Ｃ8〜Ｃ18アルキル）−２−アミノエチル］−２−アミノエチル｝グリシン又はＮ，Ｎ−ビス［Ｎ’−（Ｃ8〜Ｃ18アルキル）−２−アミノエチル］グリシン誘導体、例えば（ドデシル）（アミノプロピル）グリシン又は（ドデシル）（ジエチレンジアミン）グリシン、
・アミン、例えばＮ−（３−アミノプロピル）−Ｎ−ドデシル−１，３−プロパンジアミン、
・ハロゲン化バイオサイド、例えばヨードフォール及び次亜塩素酸塩、例えばジクロルイソシアヌル酸ナトリウム、
・フェノール系バイオサイド、例えばフェノール、レゾルシン、クレゾール又はサリチル酸、
・疎水性バイオサイド、例えば
- ｐ−クロル−ｍ−キシレノール又はジクロル−ｍ−キシレノール、
- ４−クロル−ｍ−クレゾール、
- レゾルシンモノステアレート、
- モノ−又はポリ−アルキルフェノール、 モノ−又はポリ−アリールフェノール、クレゾール又はレゾルシン類、例えばｏ−フェニルフェノール、ｐ−ｔ−ブチルフェノール又は６−（ｎ−アミル）−ｎ−クレゾール、
- アルキル及び（又は）アリールクロル−又はブロム−フェノール、例えばｏ−ベンジル−ｐ−クロルフェノール、
- ハロゲン化ジフェニルエーテル、例えば２’，４，４’−トリクロル−２−ヒドロキシジフェニルエーテル（トリクロサン）又は２，２’−ジヒドロキシ−５，５’−ジブロムジフェニルエーテル、
- クロルフェネシン（ｐ−クロルフェニルグリセリルエーテル）。
該洗浄用組成物の総重量について０〜５０％の割合で使用される。
【００８９】
良好な洗浄又は脱脂活性を持つ溶剤、例えば、次のものである。
- オクチルベンゼン型のアルキルベンゼン。
- 少なくとも１００℃の沸点を有するオレフィン、例えばα−オレフィン、好ましくは１−デセン又は１−ドデセン。
- 一般式：Ｒ1Ｏ（Ｒ2Ｏ）mＨ（ここで、Ｒ1は３〜８個の炭素原子を有するアルキル基であり、各Ｒ2はエチレン又はメチレンであり、ｍは１〜３であり得る数である。）のグリコールエーテル。モノプロピレングリコールモノプロピルエーテル、ジプロピレングリコールモノブチルエーテル、モノプロピレングリコールモノブチルエーテル、ジエチレングリコールモノヘキシルエーテル、モノエチレングリコールモノヘキシルエーテル、モノエチレングリコールモノブチルエーテル、これらの２種以上の混合物が挙げられる。
- 分子構造内に６〜１６個の炭素原子を有するジオール。ジオールは、それらの脱脂性に加えて、カルシウム塩（石けん）の除去に有効であり得るので、特に有益である。８〜１２個の炭素原子を有するジオールが好ましい。特に好ましいのは２，２，４−トリメチル−１，３−ペンタンジオールである。
- その他の溶剤、例えば、パイン油、オレンジテルペン、ベンジルアルコール、ｎ−ヘキサノール、１〜４個の炭素原子を有するアルコールのフタル酸エステル、ブトキシプロパノール、ブチルカルビトール及び１−（２−（ｎ−ブトキシ）−１−メチルエトキシ）プロパン−２−オール（ブトキシプロポキシプロパノール又はジプロピレングリコールモノブチルエーテルとしても知られる。）、ジグリコールヘキシル（ヘキシルカルビトール）、ブチルトリグリコール、ジオール、例えば２，２，４−トリメチル−１，３−ペンタンジオール及びこれらの２種以上の混合物。
（該洗浄用組成物の総重量について０〜３０％の割合で使用される。）
【００９０】
工業用クリーナー、例えば、ナトリウム又はカリウムの燐酸塩、炭酸塩、珪酸塩型などのアルカリ金属塩の溶液（該洗浄用組成物の総重量について０〜５０％の割合で）。
【００９１】
弱洗浄効果の水溶性有機溶剤、例えば、メタノール、エタノール、イソプロパノール、エチレングリコール、プロピレングリコール及びこれらの２種以上の混合物（該洗浄用組成物の総重量について０〜４０％の割合で）。
【００９２】
補助溶剤、例えば、モノエタノールアミド及び（又は）β−アミノアルカノール。これらは、硬質表面での膜及び斑点の生成を削減させるの役立つので、１１以上、特に１１．７以上のｐＨを持つ組成物において特に有益である（これらは、該洗浄用組成物の総重量について０〜５％の割合で使用できる。）。モノエタノールアミド及び（又は）β−アミノアルカノールからなる溶剤系は、ＵＳ５１０８６６０に開示されている。
【００９３】
消泡剤、特に、石けん。石けんは、脂肪酸のアルカリ金属塩、特に、ほぼ８〜２４個の炭素原子、好ましくはほぼ１０〜ほぼ２０個の炭素原子を含有する高級脂肪酸のナトリウム、カリウム、アンモニウム及びアルカノールアンモニウム塩である。特に、ココナツ油及びグラウンドウォルナッツ油から得られる脂肪混合物のモノ−、ジ−及びトリ−エタノールアミン塩、ナトリウム及びカリウム塩が挙げられる。石けんの量は、組成物の総重量に関して、少なくとも０．００５重量％、好ましくは０．５〜２重量％であることができる。泡調節剤の更なる例は、有機溶剤、疎水性シリカ、シリコーンオイル及び炭化水素である。
【００９４】
研磨剤、例えば、シリカ又は炭酸カルシウム。
【００９５】
各種の添加剤、例えば、酵素、香料、着色剤、金属の腐食防止剤、保存剤、蛍光増白剤、不透明剤又は真珠箔剤など。
【発明を実施するための形態】
【００９６】
本発明の主題をなす組成物のｐＨ又は該組成物の使用のｐＨは、０．５〜１４、好ましくは１〜１４の範囲であることができる。
【００９７】
ｐＨが７．５以上、好ましくは８．５以上の家庭用（特に、８．５〜１２，更に好ましくは８．５〜１１．５のｐＨ）のアルカリ性型の組成物は、油性の汚染性物質を除去するのに特に有用であり、台所の洗浄に特に適している。
これらの組成物は、その重量について０．００１〜５％、好ましくは０．００５〜２％のポリベタイン（Ｂ）を含むことができる。
【００９８】
アルカリ性組成物は、一般に、ポリベタイン（Ｂ）に加えて、下記のバッチから選ばれる少なくとも１種の添加剤を含む。
・金属イオン封鎖又はスケール生成阻止剤（該組成物の重量の０〜４０％、好ましくは１〜４０％、更に好ましくは２〜３０％、特に５〜２０％の範囲の量で）。
・陽イオン性バイオサイド又は消毒剤、特に第四アンモニウム型のもの。例えば、塩化（Ｎ−アルキル）ベンジルジメチルアンモニウム、塩化（Ｎ−アルキル）ジメチル（エチルベンジル）アンモニウム、ハロゲン化Ｎ−ジデシルジメチルアンモニウム及び塩化ジ（Ｎ−アルキル）ジメチルアンモニウム（該組成物の重量の０〜６０％、好ましくは０〜４０％、更に好ましくは０〜１５％、特に０〜５％になり得る量で）。
・少なくとも１種の非イオン性、両性、双性イオン性又は陰イオン性の界面活性剤又はこれらの２種以上の混合物。陽イオン界面活性剤が存在するときは、該組成物は、好ましくは、両性及び（又は）非イオン界面活性剤を更に含む。（界面活性剤の総量は、該組成物の重量の０〜８０％、好ましくは０〜５０％、特に０〜３５％になり得る。）
・要すれば、ｐＨ調節剤。該組成物を希釈し又は溶解した後に、７．５〜１３の範囲の使用のｐＨを得るのを可能にさせる量で。ｐＨ調節剤は、特に、モノエタノールアミン及び（又は）β−アミノアルカノールと、潜在的であるが好ましくは“共同緩衝剤（ｃｏｂｕｆｆｅｒ）”アルカリ性物質（アンモニア水、Ｃ2〜Ｃ4アルカノールアミン、アルカリ金属の水酸化物、珪酸塩、硼酸塩、炭酸塩、重炭酸塩及びこれらの２種以上の混合物よりなる群からの）とを含む緩衝剤系であることができる。好ましい共同緩衝剤はアルカリ金属水酸化物である。
・０．５〜９８重量％、好ましくは２５〜９５重量％、特に好ましくは４５〜９０重量％の水。
・洗浄又は脱脂性有機溶剤（該組成物の重量の０〜６０％、好ましくは１〜４５％、特に好ましくは２〜１５％の範囲の量で）。
・補助溶剤、例えば、モノエタノールアミン及び（又は）β−アミノアルカノール（該組成物の重量の０〜１０％、好ましくは０．０５〜１０％、特に好ましくは０．０５〜５％を表わし得る量で）。
・弱洗浄効果の水溶性有機溶剤（該組成物の重量の０〜２５％、好ましくは１〜２０％、特に好ましくは２〜１５％を表わし得る量で）。
・随意としての、漂白剤、香料又は他の慣用の添加剤。
【００９９】
該アルカリ性組成物は、直ぐ使用できる処方物の形で又は特に使用前に水で希釈すべき乾燥若しくは濃縮処方物の形で提供することができる。これらは、使用前に１〜１０，０００倍、好ましくは１〜１，０００倍まで希釈することができる。
【０１００】
有益には、台所を洗浄するための処方物は、
・０．００１〜１重量％のポリベタイン（Ｂ）、
・１〜１０重量％の水溶性溶剤、特にイソプロパノール、
・１〜５重量％の洗浄又は脱脂性溶剤、特にブトキシプロパノール、
・０．１〜２重量％のモノエタノールアミン、
・０〜５重量％の少なくとも１種の非陽イオン界面活性剤、好ましくは両性又は非イオン界面活性剤、
・０〜１重量％の少なくとも１種の、消毒性を持つ陽イオン界面活性剤（特に、塩化（ｎ−アルキル）ジメチル（エトキシベンジル）アンモニウムと塩化（ｎ−アルキル）ジメチルベンジルアンモニウムとの混合物）、
（界面活性剤の総量は１〜５０重量％を表わす。）
・０〜２重量％の、スケール生成阻止剤としてのジカルボン酸、
・０〜５重量％の漂白剤、
・７０〜９８重量％の水
を含む。
このような処方物のｐＨは、好ましくは７．５〜１３、更に好ましくは８〜１２である。
【０１０１】
ｐＨが５未満の酸性型の組成物は、無機型の汚染性物質を除去するのに特に有用である。これらは大便器の洗浄に特に適している。
これらの組成物は、その重量について０．００１〜５％、好ましくは０．０１〜２％のポリベタイン（Ｂ）を含むことができる。
【０１０２】
酸性組成物は、一般に、ポリベタイン（Ｂ）に加えて、
・無機又は有機酸性剤（該組成物の重量の０．１〜４０％、好ましくは０．５〜２０％、更に好ましくは０．５〜１５％の範囲の量で）、
・少なくとも１種の非イオン性、両性、双性イオン性又は陰イオン性の界面活性剤又はこれらの２種以上の混合物（界面活性剤の総量は、該組成物の重量の０．５〜２０％、好ましくは０．５〜１０％になり得る。）、
・随意としての、陽イオン性バイオサイド又は消毒剤、特に第四アンモニウム型のもの、例えば、塩化（Ｎ−アルキル）ベンジルジメチルアンモニウム、塩化（Ｎ−アルキル）ジメチル（エチルベンジル）アンモニウム、ハロゲン化Ｎ−ジデシルジメチルアンモニウム及び塩化ジ（Ｎ−アルキル）ジメチルアンモニウム（該組成物の重量の０．０１〜２％、好ましくは０．１〜１％になり得る量で）、
・随意としての、増粘剤（該組成物の重量の０．１〜３％の範囲の量で）、
・随意としての、漂白剤（該組成物の重量の１〜１０％の範囲の量で）、
・０．５〜９９重量％、好ましくは５０〜９８重量％の水、
・溶剤、例えばグリコール又はアルコール（該組成物の重量の０〜１０％、好ましくは１〜５％になり得る量で）、
・随意としての、香料、保存剤、研磨剤又は他の慣用の添加剤
を含む。
このような酸性組成物は、好ましくは、直ぐに使用できる処方物の形で提供される。
【０１０３】
有益には、大便器を洗浄するための処方物は、
・０．０５〜５重量％、好ましくは０．０１〜２重量％のポリベタイン（Ｂ）、
・該組成物の最終ｐＨが０．５〜４、好ましくは１〜４であるような量の酸性洗浄剤（この量は、一般に、組成物の重量に関して、０．１〜ほぼ４０重量％、好ましくは０．５〜ほぼ１５重量％のである。酸性剤は、特に、無機酸、例えば燐酸、ポリ燐酸、スルファミン酸、塩酸、弗化水素酸、硫酸、硝酸又はクロム酸及びこれらの２種以上の混合物、有機酸、特に酢酸、ヒドロキシ酢酸、アジピン酸、くえん酸、ぎ酸、フマル酸、グルコン酸、グルタル酸、グリコール酸、りんご酸、マレイン酸、乳酸、マロン酸、しゅう酸、こはく酸又は酒石酸及びこれらの２種以上の混合物、或いはこれらの酸の塩類、例えば重硫酸ナトリウム、これらの混合物である。好ましい量は、使用する酸性洗浄剤のタイプに依存する。例えば、スルファミン酸については、それは０．２〜１０重量％であり、塩酸については１〜１５重量％であり、くえん酸については２〜１５重量％であり、燐酸については２〜３０重量％である。）、
・０．５〜１０重量％の少なくとも１種の界面活性剤、好ましくは陰イオン又は非イオン界面活性剤、
・随意としての、０．１〜２重量％の少なくとも１種の、消毒性を持つ陽イオン界面活性剤（特に、塩化（ｎ−アルキル）ジメチル（エトキシベンジル）アンモニウムと塩化（ｎ−アルキル）ジメチルベンジルアンモニウムとの混合物）、
・随意としての、ガム質の増粘剤（該組成物の重量の０．１〜３重量％となる量で）、特に、キサンタンガム又はスクシノグリカン（レオザン）、
・随意としての、漂白剤（該組成物の重量の１〜１０％となる量で）、
・随意としての、保存剤、着色剤、香料又は研磨剤、
・５０〜９５重量％の水
を含む。
【０１０４】
本発明の組成物の応用のいくつかの他の特別な具体例及び形態を以下に詳述する。
【０１０５】
しかして、本発明に従う組成物は、ガラス表面、特に窓のガラス表面の洗浄を容易にさせるために使用することができる。この処理は、種々の既知の技術により実施することができる。特に、ケルシャー（登録商標）型の装置を使用して水ジェットを吹き付けることによって窓を洗浄するための技術が挙げられる。
導入されるポリベタイン（Ｂ）の量は、一般に、洗浄用組成物を使用する間に、随意の希釈後に、ポリベタイン（Ｂ）の濃度が０．００１ｇ／Ｌ〜２ｇ／Ｌ、好ましくは０．００５ｇ／Ｌ〜０．５ｇ／Ｌであるようなものであろう。
【０１０６】
本発明に従う窓の洗浄用組成物は、
・０．０１〜１０重量％、好ましくは０．００５〜３重量％の少なくとも１種のポリベタイン（Ｂ）、
・０．００５〜２０重量％、好ましくは０．５〜１０重量％の少なくとも１種の非イオン界面活性剤（例えば、アミンオキシド又はアルキルポリグルコシド）及び（又は）陰イオン界面活性剤
を含み、残りは水及び（又は）斯界で慣用である種々の添加剤からなる。
また、該重合体を含む窓のための洗浄用組成物は、
・０〜１０重量％、好ましくは０．５〜５重量％の両性界面活性剤、
・０〜３０重量％、有利には０．５〜１５重量％の溶剤、好ましくはアルコール
を含むことができ、残りは水及び慣用の添加剤（特に、香料）からなる。
該組成物のｐＨは、有利には６〜１１である。
【０１０７】
また、本発明の組成物は、自動装置での食器類の洗浄を容易にさせるのに有益である。このような組成物は、洗浄サイクルで使用される洗剤（洗浄用）処方物又はすすぎ洗い用処方物のいずれかであり得る。
【０１０８】
本発明に従う自動食器洗い機で食器類を洗浄するための洗剤組成物は、有益には、０．０１〜５重量％、好ましくは０．１〜３重量％のポリベタイン（Ｂ）を含む。
また、このような食器洗い機用の洗剤組成物は、少なくとも１種の界面活性剤、好ましくは非イオン界面活性剤を、該洗剤組成物の重量の０．２〜１０％、好ましくは０．５〜５％の範囲になり得る量で含み、残りは上で既に述べたような種々の添加剤及び充填剤からなる。
従って、それらは、更に、
・９０重量％までの、トリポリ燐酸又は珪酸ナトリウム型の少なくとも１種の洗浄力補助剤（ビルダー）、
・１０重量％まで、好ましくは１〜１０重量％、特に２〜８重量％の少なくとも１種の補助洗浄剤、好ましくはアクリル酸とメチルプロパンスルホン酸との共重合体（ＡＭＰＳ）、
・３０重量％までの少なくとも１種の漂白剤、好ましくは過炭酸塩又は過塩素酸塩（これは漂白活性剤と一緒にしても又はしなくてもよい。）、
・５０重量％までの少なくとも１種の充填剤、好ましくは硫酸ナトリウム又は塩化ナトリウム
を含むことができる。
ｐＨは有益には８〜１３である。
【０１０９】
本発明に従う自動食器洗い機での食器類の洗浄を容易にさせるための洗剤組成物は、有益には、該組成物の総重量に関して、０．０２〜１０重量％、好ましくは０．１〜５重量％のポリベタイン（Ｂ）を含むことができる。
また、このような組成物は、該組成物の総重量に関して、０．１〜２０重量％、好ましくは０．２〜１５重量％の界面活性剤、好ましくは非イオン界面活性剤を含むことができる。好ましい非イオン界面活性剤としては、次のタイプ：ポリオキシエチレン化Ｃ6〜Ｃ12アルキルフェノール、ポリオキシエチレン化及び（又は）ポリオキシプロピレン化Ｃ8〜Ｃ22脂肪族アルコール、エチレンオキシド／プロピレンオキシドブロック共重合体、ポリオキシエチレン化されていてよいカルボキサミドなどが挙げられる。
この組成物は、更に、該組成物の総重量に関して、０〜１０重量％、好ましくは０．５〜５重量％のカルシウム金属イオン封鎖性有機酸、好ましくはくえん酸を含むことができる。また、この組成物は、アクリル酸と無水マレイン酸との共重合体又はアクリル酸ホモ重合体型の補助剤を、該組成物の総重量に関して、０〜１５重量％、好ましくは０．５〜１０重量％の割合で含むことができる。
ｐＨは有益には４〜７である。
【０１１０】
本発明の他の主題は、手による食器類の洗浄を容易にさせるための洗浄用組成物である。
このタイプの好ましい洗剤処方物は、該組成物の１００重量部当たり０．１〜１０重量部のポリベタイン（Ｂ）を含み、そして３〜５０重量部、好ましくは１０〜４０重量部の少なくとも１種の界面活性剤、好ましくは、陰イオン界面活性剤、特に、飽和Ｃ5〜Ｃ24、好ましくはＣ8〜Ｃ16脂肪族アルコールの硫酸塩（０．５〜３０個、好ましくは０．５〜８個、特に０．５〜５個のエチレンオキシドが縮合していてもよい。酸の形で又は塩（特に、アルカリ金属（ナトリウム）塩、アルカリ土類金属（カルシウム、マグネシウム）塩など）の形である。）から選ばれるものを含む。
好ましくは、これらは、手による食器類の洗浄を容易にさせるための泡立ち性液状水性洗剤処方物である。
【０１１１】
このような組成物は、更に、その他の添加剤、特に他の界面活性剤、例えば、
- 非イオン界面活性剤、例えば、アミンオキシド、アルキルグルカミド、アルキルポリグルコシド、脂肪アルコールのオキシアルキレン化誘導体、アルキルアミド若しくはアルカノールアミド、又は両性若しくは双性イオン界面活性剤、
- 非陽イオン性殺細菌剤又は消毒剤、例えばトリクロサン、
- 合成陽イオン重合体、
- 混合物の粘度及び（又は）使用中に形成される泡の安定性を制御するための重合体、
- ハイドロトロピー剤、
- 皮膚を保護するための加水剤又はモイスチャーライザー、
- 着色剤、香料、保存剤、２価の金属塩（特に、マグネシウム塩）など
を含むことができる。
このような組成物のｐＨは、有益には５〜９である。
【０１１２】
本発明の他の特定の具体例は、外部の洗浄を、特に自動化乗物（自動車、トラック、バス、列車、飛行機など）の本体の外部の洗浄を容易にさせるための組成物である。
また、この場合に、該組成物は文字どうりの洗浄用組成物又はすすぎ洗い用組成物であり得る。
【０１１３】
自動化乗物用の洗浄組成物は、有益には、該組成物の総重量に関して、０．００５〜１０重量％のポリベタイン（Ｂ）を含み、そして、
・非イオン界面活性剤（該処方物の０〜３０％、好ましくは０．１〜１５％の割合で）、
・両性及び（又は）双性イオン界面活性剤（該処方物の０〜３０％、好ましくは０．０１〜１０％の割合で）、
・陽イオン界面活性剤（該処方物の０〜３０％、好ましくは０．５〜１５％の割合で）、
・陰イオン界面活性剤（該処方物の０〜３０％、好ましくは０．１〜１５％の割合で）、
・洗浄力補助剤（ビルダー）（該処方物の１〜９９％、好ましくは４０〜９８％の割合で）、
・ハイドロトロピー剤、
・充填剤、ｐＨ調節剤など
を含む。
このタイプの組成物中に存在する界面活性剤の最低量は、該組成物の少なくとも０．５重量％である。
このような組成物のｐＨは有益には８〜１３である。
【０１１４】
また、本発明の組成物は、セラミックス型の硬質表面（タイル、バスタブ、浴室シンクなど）の洗浄を容易にさせるのに、特に浴室のために好適である。
【０１１５】
このような洗浄用処方物は、有利に、該組成物の総重量に関して、０．０２〜５重量％のポリベタイン（Ｂ）及び少なくとも１種の界面活性剤を含む。
界面活性剤としては、非イオン界面活性剤、特に、親水性のアルキレンオキシドを脂肪族又はアルキル芳香族性である疎水性有機化合物と縮合させることによって生じる化合物が挙げられる。
任意の疎水性基と縮合される親水性鎖又はポリオキシアルキレン基の長さは、所望の度合の親水性／疎水性バランス（ＨＬＢ）を有する水溶性化合物を得るために容易に調節することができる。
本発明の組成物中の非イオン界面活性剤の量は、０〜３０重量％、好ましくは０〜２０重量％であることができる。
【０１１６】
随意であるが、陰イオン界面活性剤も、０〜３０重量％、好ましくは０〜２０重量％の量で存在できる。また、必須ではないが、両性、陽イオン性又は双性イオン性の洗剤を添加することも可能である。
上記のタイプの組成物に使用される界面活性剤の総量は、一般に、該組成物の総重量に関して、０．５〜５０重量％、好ましくは１〜３０重量％、特に２〜２０重量％である。
【０１１７】
また、このような洗浄用組成物は、その他の少量成分、例えば、
- 前記したような洗浄力補助剤（ビルダー）（該組成物の総重量に関して、０．１〜２５重量％であり得る量で）、
- 前記したような泡調節剤、特に、石けんタイプのもの（該組成物の総重量に関して、一般に少なくとも０．００５重量％、好ましくは０．５〜２重量％の量で）、
- ｐＨ調節剤、着色剤、蛍光漂白剤、汚染性物質の浮遊剤、洗剤酵素、適合性漂白剤、ゲル生成制御剤、凍結−融解安定剤、殺細菌剤、保存剤、溶剤、殺菌剤、昆虫忌避剤、ハイドロトロピー剤、香料及び不透明又は真珠箔剤
を含むことができる。
このような組成物のｐＨは有益には２〜１２である。
【０１１８】
また、本発明に従う組成物は、シャワー室の壁の洗浄を容易にさせるのに好適である。シャワー室の壁を洗浄するための水性組成物は、０．０２〜５重量％、有利には０．０５〜１重量％のポリベタイン（Ｂ）を含む。
本発明のシャワー室を洗浄するための水性組成物の他の主な活性成分は、０．５〜５重量％の量で存在する少なくとも１種の界面活性剤と、随意としての、０．０１〜５重量％の量で存在する前記した金属キレート化剤である。
シャワー室を洗浄するための水性組成物は、水を、要すれば多割合の少なくとも１種の低級アルコールと少割合の添加剤（ほぼ０．１〜ほぼ５重量％、更に有益にはほぼ０．５〜ほぼ３重量％、更に好ましくはほぼ１〜ほぼ２重量％）と共に有利に含む。
【０１１９】
このタイプの用途に使用できるいくつかの界面活性剤が特許ＵＳ５５３６４５２及び同５５８７０２２（これらの内容を参照によってここに含める。）に開示されている。好ましい界面活性剤は、ポリエトキシル化脂肪エステル、例えばポリエトキシル化ソルビタンモノオレエート及びポリエトキシル化ひまし油である。このような界面活性剤の特定の例は、２０モルのエチレンオキシドとソルビタンモノオレエートの縮合生成物（商品名アルカムルズＰＳＭＯ−２０（１５．０のＨＬＢ）としてロディア社より販売）及び３０又は４０モルのエチレンオキシドとひまし油との縮合生成物（商品名アルカムルズＥＬ−６２０（登録商標）（１２．０のＨＬＢ）及びＥＬ−７１９（登録商標）（１３．６のＨＬＢ）として販売）である。エトキシル化度は、好ましくは、１３以上のＨＬＢの界面活性剤を得るのに十分である。
このような組成物のｐＨは有利には７〜１１である。
【０１２０】
また、本発明に従う組成物は、ガラス−セラミックスシートの洗浄を容易にさせるために使用することができる。
本発明のガラス−セラミックスシートを洗浄するための処方物は、有益には、
・０．０１〜５重量％のポリベタイン（Ｂ）、
・０．１〜１重量％の増粘剤、好ましくはキサンタンガム、
・１０〜６０重量％の研磨剤、好ましくは炭酸カルシウム又はシリカ、
・０〜７重量％の溶剤、好ましくはブチルジグリコール、
・１〜１０重量％の非イオン界面活性剤、
・随意としての、塩基性化剤又は金属イオン封鎖剤
を含む。
このような組成物のｐＨは有利には７〜１２である。
【０１２１】
前記したように、本発明に従う組成物は、工業用洗浄の分野において、特に反応器の洗浄を容易にさせるのに使用することができる。
このような組成物は、有益には、
・０．０２〜５重量％のポリベタイン（Ｂ）、
・１〜５０重量％のアルカリ金属塩（燐酸ナトリウム若しくはカリウム、炭酸ナトリウム若しくはカリウム又は珪酸ナトリウム若しくはカリウム）、
・１〜３０重量％の界面活性剤の混合物、特に非イオン界面活性剤（例えば、エトキシル化脂肪アルコール）と陰イオン界面活性剤（例えば、ラウリルベンゼンスルホン酸塩）との混合物、
・０〜３０重量％の溶剤、例えばジイソブチルエーテル
を含む。
このような組成物のｐＨは一般に８〜１４である。
【０１２２】
本発明の第二の主題は、水性又は水性／アルコール媒体中で硬質表面を洗浄し又はすすぎ洗いするための、少なくとも１種の界面活性剤を含有する組成物に、少なくとも１種のポリベタイン（Ｂ）であって、
・１〜１４のｐＨ範囲内で、不変陰イオン総電荷及び不変陽イオン総電荷を有し（それぞれ個々のベタイン単位は不変陽イオン電荷と同数の不変陰イオン電荷を有するものとし）、及び
・５，０００〜３，０００，０００ｇ／モル、好ましくは８，０００〜１，０００，０００ｇ／モル、特に１０，０００〜５００，０００ｇ／モルの絶対重量平均分子量（Ｍw）を示す
ものを、該表面に付着し得る汚染性物質に関して、その表面に付着防止性及び（又は）密着防止性を付与せしめる剤として使用することである。
【０１２３】
本発明の第三の主題は、水性又は水性／アルコール媒体中で硬質表面を洗浄し又はすすぎ洗いするための、少なくとも１種の界面活性剤を含有する組成物に、少なくとも１種のポリベタイン（Ｂ）であって、
・１〜１４のｐＨ範囲内で、不変陰イオン総電荷及び不変陽イオン総電荷を有し（それぞれ個々のベタイン単位は不変陽イオン電荷と同数の不変陰イオン電荷を有するものとし）、及び
・５，０００〜３，０００，０００ｇ／モル、好ましくは８，０００〜１，０００，０００ｇ／モル、特に１０，０００〜５００，０００ｇ／モルの絶対重量平均分子量（Ｍw）を示す
ものを添加することによって、該組成物の性質を向上させるための方法である。
【０１２４】
本発明の第四の主題は、硬質表面を水性又は水性／アルコール媒体中に少なくとも１種の界面活性剤及び少なくとも１種のポリベタイン（Ｂ）を含有する組成物と接触させて該硬質表面の洗浄又はすすぎ洗いをする方法であって、該ポリベタイン（Ｂ）が、
・１〜１４のｐＨ範囲内で、不変陰イオン総電荷及び不変陽イオン総電荷を有し（それぞれ個々のベタイン単位は不変陽イオン電荷と同数の不変陰イオン電荷を有するものとし）、及び
・５，０００〜３，０００，０００ｇ／モル、好ましくは８，０００〜１，０００，０００ｇ／モル、特に１０，０００〜５００，０００ｇ／モルの絶対重量平均分子量（Ｍw）を示す
ことを特徴とする、該硬質表面の洗浄又はすすぎ洗いを容易にさせるための方法である。
【０１２５】
ポリベタイン（Ｂ）は、該組成物に付着し得る汚染性物質に関して、該表面に付着防止性及び（又は）密着防止性を付与するのに有効である量で該組成物に使用され又はその中に存在する。
【０１２６】
該組成物に存在し又は使用されるポリベタイン（Ｂ）の種類及び量並びに該組成物の他の添加剤及びその適用の形態は、上で既に述べた。
【実施例】
【０１２７】
下記の実施例は例示として示すものである。
【０１２８】
下記のホモポリスルホベタインＢ１〜Ｂ８並びに下記のコポリスルホベタインＣ１〜Ｃ７を当業者に周知の溶液ラジカル重合法により実験室で製造し、これらのホモポリスルホベタイン及びコポリスルホベタインの性能を下記の実施例において試験する。
【０１２９】
Ｂ１：
ポリ（メタクリル酸スルホプロピルジメチルアンモニオエチル）、“ポリ（ＳＰＥ）”、絶対重量平均分子量（Ｍw）３５，０００ｇ／モル。
Ｂ２：
ポリ（メタクリル酸スルホプロピルジメチルアンモニオエチル）、絶対重量平均分子量（Ｍw）５５，０００ｇ／モル。
Ｂ３：
ポリ（メタクリル酸スルホプロピルジメチルアンモニオエチル）、絶対重量平均分子量（Ｍw）１１０，０００ｇ／モル。
Ｂ４：
ポリ（メタクリル酸スルホプロピルジメチルアンモニオエチル）、絶対重量平均分子量（Ｍw）４５０，０００ｇ／モル。
Ｂ５：
ポリ（メタクリル酸スルホプロピルジメチルアンモニオエチル）、絶対重量平均分子量（Ｍw）１，２００，０００ｇ／モル。
Ｂ６：
ポリ（メタクリル酸スルホプロピルジメチルアンモニオエチル）、絶対重量平均分子量（Ｍw）１，８００，０００ｇ／モル。
Ｂ７：
ポリ（スルホプロピルジメチルアンモニオプロピルメタクリルアミド）、“ポリ（ＳＰＰ）”、絶対重量平均分子量（Ｍw）５５，０００ｇ／モル。
Ｂ８：
ポリ（スルホヒドロキシプロピルジメチルアンモニオプロピルメタクリルアミド）、“ポリ（ＳＨＰＰ）”、絶対重量平均分子量（Ｍw）６０，０００ｇ／モル。
Ｃ１：
ポリ（メタクリル酸スルホプロピルジメチルアンモニオエチル−共−メタクリル酸）、“ポリ（ＳＰＥ／ＭＡＡ）”、絶対重量平均分子量（Ｍw）５０，０００ｇ／モル、９５／５のＳＰＥ／ＭＡＡモル比を示す。
Ｃ２：
ポリ（メタクリル酸スルホプロピルジメチルアンモニオエチル−共−メタクリル酸）、絶対重量平均分子量（Ｍw）５０，０００ｇ／モル、８５／１５のＳＰＥ／ＭＡＡモル比を示す。
Ｃ３：
ポリ（メタクリル酸スルホプロピルジメチルアンモニオエチル−共−メタクリル酸）、絶対重量平均分子量（Ｍw）５０，０００ｇ／モル、６６／３４のＳＰＥ／ＭＡＡモル比を示す。
Ｃ４：
ポリ（メタクリル酸スルホプロピルジメチルアンモニオエチル−共−メタクリル酸）、絶対重量平均分子量（Ｍw）５０，０００ｇ／モル、６０／４０のＳＰＥ／ＭＡＡモル比を示す。
Ｃ５：
ポリ（メタクリル酸スルホプロピルジメチルアンモニオエチル−共−メタクリル酸）、絶対重量平均分子量（Ｍw）５０，０００ｇ／モル、４９／５１のＳＰＥ／ＭＡＡモル比を示す。
Ｃ６：
ポリ（メタクリル酸スルホプロピルジメチルアンモニオエチル−共−メタクリル酸）、絶対重量平均分子量（Ｍw）５０，０００ｇ／モル、４０／６０のＳＰＥ／ＭＡＡモル比を示す。
Ｃ７：
ポリ（メタクリル酸スルホプロピルジメチルアンモニオエチル−共−メタクリル酸）、絶対重量平均分子量（Ｍw）５０，０００ｇ／モル、２５／７５のＳＰＥ／ＭＡＡモル比を示す。
【０１３０】
前記した分子量は、下記の条件に従い、ＭＡＬＬＳ光散乱による水性ゲル透過クロマトグラフィーＧＰＣによって測定される絶対重量平均分子量である。
溶離剤：１８ＭΩのミリポア水、１ＭのＮＨ4ＮＯ3、１／１０，０００のＮａＮ3
流量：１ｍＬ／分
注入容量：１００μＬ
較正：無し、分子量はＭＡＬＬＳにより定める。
カラム：２つのＧＰＣカラム（ＳＢ８０６ＭＨＱショデックスＯＨパック３０ｃｍ、５μｍ）
検出器：屈折計：ＲＩウオーターズ４１０
ＤＬＳ：ＭＡＬＬＳ（多角レーザー光散乱）光散乱、ワイアット、レーザー
Ｈｅ６３３ｎｍ
【０１３１】
予備的実施例１：ベタイン重合体又は共重合体Ｂ１〜Ｂ８及びＣ１〜Ｃ７の汚染性物質の付着防止性に関しての固有特性（目視検査）
被検ベタイン重合体Ｂ１〜Ｂ８のそれぞれを、５容量％のエタノール（これは被処理表面に付着した溶液の乾燥を容易にするため）を含む水／エタノール混合物中２００ｍｇ／Ｌの濃度の溶液の形で使用する。この溶液を塩酸の添加によりｐＨ３にする。
本発明に従うベタイン重合体Ｂ１〜Ｂ８の固有の性能を目視検査し、
・ベタイン重合体Ｂ１〜Ｂ８の不存在下に、
・５容量％のエタノールを含む水／エタノール混合物中２００ｍｇ／Ｌの濃度の溶液（この溶液は塩酸の添加によりｐＨ３にする。）の形で使用されるココアミドプロピルヒドロキシスルタイン型（ロディア社製のミラティーンＣＢＳ）の双性イオン界面活性剤（ＺｗＳｕｒｆ）（ロディア社製）の存在下に
得られた性能と比較する。
【０１３２】
試験
エタノールを使用して予め清浄にした２５ｃｍ×２５ｃｍの寸法の黒色セラミックスシートを使用し、その表面を１０個の等しい平行な区画Ｆ、Ｆ’、Ｆ１、Ｆ２、Ｆ３、Ｆ４、Ｆ５、Ｆ６、Ｆ７及びＦ８に分ける。操作手順は以下の通りである。
１．処理
・シートの第一区画Ｆはそのまま放置する。
・フィルムドロワーを使用して、第二区画Ｆ’の全面に２．５ｍｇ／ｍ2の双性イオン界面活性剤（水／エタノール混合物中の溶液、ｐＨ３）を付着させる。
・フィルムドロワーを使用して、区画Ｆ１〜Ｆ８の全面に２．５ｍｇ／ｍ2の重合体Ｂ１〜Ｂ８（水／エタノール混合物中の溶液、ｐＨ３）をそれぞれ付着させる。
２．汚染性物質の付着
１５ｇの下記のモデル汚染性物質をすすぎ洗いしたシートの全面に付着させ、空気中で２４時間乾燥させる。
使用した白色のモデル汚染性物質は下記のものからなる。
・７５重量％の水、
・１０重量％のセルロース、
・７．５％の無機塩（燐酸カルシウム、燐酸鉄）、
・５重量％のコレステロール、
・２．５重量％の食用油（オリーブ油、ひまし油）。
３．すすぎ洗い
次いで、汚染されたシートを１Ｌの硬質市営水道水を使用してすすぎ洗いし、乾燥させる。２０人の試験者グループによりシートを目視で分析する。
結果は以下のように記録する。
１：非常に汚れた表面
５：清浄な表面
また、上記の試験を、重合体Ｂ１〜Ｂ８を共重合体Ｃ１〜Ｃ７で置き換えながら実施する。
結果をまとめて以下に示す。
【０１３３】
【表１】
2010100861.tif 000024
【０１３４】
ベタイン重合体Ｂ１〜Ｂ８及びＣ１〜Ｃ７が汚染性物質の除去を容易にさせることが分かる。５００，０００ｇ／モル未満のＭwを持つ重合体Ｂ１〜Ｂ４、Ｂ７及びＢ８並びにＣ１〜Ｃ７は、非常に有効であり、全く特に１５０，０００未満のＭwを持つものがそうである。共重合体Ｃ１〜Ｃ７のＳＰＥ／ＭＡＡモル比はこの試験においてごく僅かな影響を有するだけである。
【０１３５】
予備的実施例２：ベタイン重合体又は共重合体Ｂ１、Ｂ５、Ｂ７、Ｃ１、Ｃ２、Ｃ４及びＣ６の持続性（２００回のすすぎ洗い操作の後）及び汚染性物質の付着防止性に関しての固有特性（目視検査）
被検ベタイン重合体Ｂ１、Ｂ５、Ｂ７、Ｃ１、Ｃ２、Ｃ４及びＣ６のそれぞれを、５容量％のエタノール（これは被処理表面に付着した溶液の乾燥を容易にするため）を含む水／エタノール混合物中２００ｍｇ／Ｌの濃度の溶液の形で使用する。この溶液を塩酸の添加によりｐＨ３にする。
本発明に従うベタイン重合体Ｂ１、Ｂ５、Ｂ７、Ｃ１、Ｃ２、Ｃ４及びＣ６の固有の性能を目視検査し、
・ベタイン重合体Ｂ１、Ｂ５、Ｂ７、Ｃ１、Ｃ２、Ｃ４又はＣ６の不存在下に、
・５容量％のエタノールを含む水／エタノール混合物中２００ｍｇ／Ｌの濃度の溶液（この溶液は塩酸の添加によりｐＨ３にする。）の形で使用されるココアミドプロピルヒドロキシスルタイン型（ロディア社製のミラティーンＣＢＳ）の双性イオン界面活性剤（ＺｗＳｕｒｆ）（ロディア社製）の存在下に
得られた性能と比較する。
【０１３６】
試験
エタノールを使用して予め清浄にした２０ｃｍ×２０ｃｍの寸法の黒色セラミックスシートを使用し、その表面を３個の等しい平行な区画に分ける。
操作手順は以下の通りである。
１．処理
・シートの第一区画はそのまま放置する。
・フィルムドロワーを使用して、第二区画の全面に２．５ｍｇ／ｍ2の双性イオン界面活性剤（水／エタノール混合物中の溶液、ｐＨ３）を付着させる。
・フィルムドロワーを使用して、第三区画の全面に２．５ｍｇ／ｍ2の重合体Ｂ１、Ｂ５、Ｂ７、Ｃ１、Ｃ２、Ｃ４又はＣ６（水／エタノール混合物中の溶液、ｐＨ３）を付着させる。
２．すすぎ洗い
被検シートを２００回×１Ｌの水を使用して２００回のすすぎ洗いサイクルに付する。
３．汚染性物質の付着
１５ｇの下記のモデル汚染性物質をすすぎ洗いしたシートの全面に付着させ、空気中で２４時間乾燥させる。
使用した白色のモデル汚染性物質は下記のものからなる。
・７５重量％の水、
・１０重量％のセルロース、
・７．５％の無機塩（燐酸カルシウム、燐酸鉄）、
・５重量％のコレステロール、
・２．５重量％の食用油（オリーブ油、ひまし油）。
４．最終すすぎ洗い
次いで、汚染されたシートを１Ｌの硬質市営水道水を使用してすすぎ洗いし、空気中で３０分間乾燥させる。
２０人の試験者グループによりシートを目視で分析する。
結果は以下のように記録する。
１：非常に汚れた表面
５：清浄な表面
【０１３７】
【表２】
2010100861.tif 000025
【０１３８】
ベタイン重合体、特に重合体Ｂ１、Ｂ７、Ｃ１及びＣ２は、簡単な双性イオン界面活性剤と対照をなして、少なくとも２００回のすすぎ洗いサイクルにわたって表面上に留まることが分かる。本発明の重合体は表面上で持ちこたえる。
重合体は、汚染性物質と同時に離れない。如何なる機構と関連させるものではないが、汚染性物質の付着防止の機構は“犠牲的”でないと想定される。
【０１３９】
例１：重合体Ｂ１及び共重合体Ｃ１と洗剤の分野で慣用である界面活性剤との適合性
それぞれ下記の成分：
・０ｍｇ／Ｌ、５０ｍｇ／Ｌ、１００ｍｇ／Ｌ及び２００ｍｇ／Ｌの重合体Ｂ１又はＣ１、
・１０ｇ／Ｌ及び５０ｇ／Ｌの下記の界面活性剤の１種：
- 非イオン性のロダサーフＩＤ／０６０（ロディア社製）、
- 陰イオン性のラウリルアルキルベンゼンスルホン酸塩（ナンサ、ロディア社製）、
- 陽イオン性のロダカートＲＰ５０（ロディア社製）
を含む４×６個の洗剤溶液を調製し、そのｐＨを０．０１モルの硫酸を添加して３に調節する。
光度計を使用して２４個の溶液の透過率を測定する。２４個の溶液の透過率は、同等であって、ｐＨ３の水の溶液のそれに匹敵する。
したがって、重合体Ｂ１及びＣ１は、洗剤として普通に使用されている界面活性剤の全てのタイプと適合性がある。しかして、それらは、時間経過による相分離又は不安定性をもたらす恐れなく、あらゆるタイプの商業用処方物に処方することができる。
【０１４０】
それぞれの水溶液を黒色セラミックスタイル上に吹き付け、次いで市販のセルロース吸塵布で拭き取る。使用したモデルの汚染性物質は以下のものからなる。
・７５重量％の水、
・１０重量％のセルロース、
・５重量％のコレステロール、
・２．５重量％の食用油（オリーブ油、ひまし油）、
・７．５％の無機塩（燐酸カルシウム、燐酸鉄）。
上記のように調製した表面にこれを適用し、２４時間乾燥させる。続いて、水道水を表面に吹き付ける。
表面に留まらなかった付着汚染性物質の割合（％）を画像分析により評価する。
得られた結果を下記の表に示す。
【０１４１】
【表３】
2010100861.tif 000026
【０１４２】
本発明に従う重合体Ｂ１又はＣ１を含む洗剤組成物がセラミックス上でのトイレ型汚染性物質の除去を容易にさせることが分かる。
重合体Ｂ１又はＣ１は、ｐＨ３で非イオン又は陽イオン界面活性剤の存在下で特に有効である。
【０１４３】
例２：窓の洗浄を容易にさせるための処方物
窓を洗浄するために使用する４個の洗浄処方物（２個の比較用処方物Ａ及びＢも含めて）の組成を以下の表に記載する。
【０１４４】
【表４】
2010100861.tif 000027
【０１４５】
並んで位置させた１ｍ2の面積を持つ４個の外部の窓を下記のようにして処方物Ａ、Ｂ、Ｃ及びＤによりそれぞれ処理する。
それぞれの処方物をそれぞれの窓に表面積ｍ2当たり５ｍＬの割合で吹き付け、次いで市販のセルロース吸塵布により直ちに拭き取る。
処理した後、８週間天候の作用に曝した窓の外観を時間と共に記録する。観察者の一団が窓の清浄さ（可能な斑点、輝き、炭素残留物）を１〜５の尺度で記録する。
１の尺度は非常に汚れた窓に相当し、５は清浄処理直後の初期の外観に相当する。
この試験は、ポリベタインＢ２が少なくとも６週間にわたり持続する汚れ剥離性を付与することをはっきりと照明している。
【０１４６】
例３：リノリウム製の床を洗浄するための処方物
被検処方物を下記の表に示す。
【０１４７】
【表５】
2010100861.tif 000028
【０１４８】
処方物Ａ及びＢを使用前に１Ｌの水中に１０ｇの処方物の割合で希釈する。床の半分を処方物Ａにより処理し、他の半分を添加剤を含む処方物Ｂにより処理する。
床はリノリウム製である。
使用者は、手を床の上を通過させることによりどの速度で床が乾燥状態になるかを記録する。
例Ａを比較として示す。処方物ＡとＢの乾燥速度の結果は、重合体が消費者にとって乾燥速度の著しい向上を処方物にもたらすこと示す。添加剤を含む処方物では、乾燥速度がほぼ３０％低減される。また、使用者は重合体Ｂ７が乾燥中に輝き性を付与することを見出した。
更に、処方物Ｂにより処理された床の部分は、処方物Ａにより処理された部分よりも滑りが著しく少なく、しかして処理した表面に滑り抗性を付与する。
２週間使用した後、使用者は処方物Ａにより床を清浄にするように求められる。
予め処方物Ｂにより処理した床の部分では煤やカーボンブラック型の汚染性物質の除去が容易になることが明かである。従って、重合体Ｂ７は、処理した表面での汚染性物質に関して付着防止性を付与する。
【０１４９】
例４：自動食器洗い機のための洗剤処方物
グラスを自動食器洗い機内に置き、その組成を後記の表に示す粉末洗剤処方物を、このために備えた受け器に３２ｇの量で入れる。
すすぎ洗い用の液はこの試験では使用しない。
これらのグラスを、６５℃の最高洗浄温度を与える“正常”プログラムで洗浄する。洗浄サイクルの間に、卵、油、クリーム、チーズ及びケチャップの混合物を入れた蓋のない容器を食器洗い機に同時に入れる。洗浄終了時に、食器洗い機は３時間閉じたままにする。
洗浄サイクルの後、洗剤組成物の性能をグラス表面への汚染性物質（白色付着物／膜を生じさせる）の再付着防止の点で測定し、このように処理した表面の親水性も測定する。
これを行なうため、水溶液をグラス上に吹き付け、水の膜が切れる（又は均一に流れる）のに要する又は表面上に留まるのに要する時間を目視で評価する。
【０１５０】
【表６】
2010100861.tif 000029
【０１５１】
更に、洗浄した後、グラスの外観を評価する。
評点“１”は非常に汚れたグラスに相当する。
評点“５”は“清浄な”グラスに相当する。
結果は、洗浄サイクルの間に、重合体Ｂ１若しくはＢ７又は共重合体Ｃ３が懸濁液中に汚染性物質の粒子をもたらし且つ表面へのそれらの付着を防止させることを示す。
【０１５２】
例５：自動食器洗い機用の洗剤処方物
自動食器洗い機用の２種の市販洗浄用処方物（処方物Ｄ及びＥ）と、重合体Ｂ１又はＣ３を含む２種の類似の処方物（Ａ及びＢ）との間で二つの比較試験を行なう。
処方物Ａ、Ｂ、Ｄ及びＥの組成は、前記の例４の表に示してある。
【０１５３】
第一比較試験
４台の自動食器洗い機を入手する。
パイレックス（登録商標）型のガラス皿と、処方物Ａ、Ｂ、Ｄ及びＥからそれぞれ選んだ２２ｇの洗剤処方物とをそれぞれの機械に入れる。皿を５５℃の“正常”プログラムで予備洗浄する
このように処理された皿を次のように表示する。
ＰA：処方物Ａにより処理したもの、
ＰB：処方物Ｂにより処理したもの
ＰD：処方物Ｄにより処理したもの
ＰE：処方物Ｅにより処理したもの。
次いで、“グラタン”型の料理を皿のそれぞれで調理する。それらの中身を空にした後、皿ＰA及びＰDを処方物Ｄ（ポリベタインなし）を使用して３回の連続サイクルで洗浄する（洗い機１台当たり１バッチの皿）。
また、皿の中身を空にした後、皿ＰB及びＰEを処方物Ｅ（ポリベタインなし）を使用して３回の連続サイクルで洗浄する（洗い機１台当たり１バッチの皿）。
洗浄した後、皿を食器洗い機から取出し、それらの外観を比較する。
【０１５４】
【表７】
2010100861.tif 000030
【０１５５】
汚染性物質は、処方物Ａ又はＢで予備洗浄した皿にはそれほど付着しないことが分かる。
【０１５６】
第二比較試験
４台の自動食器洗い機を入手する。
大皿のバッチと、処方物Ａ、Ｂ、Ｄ及びＥからそれぞれ選んだ２２ｇの洗剤処方物とをそれぞれの機械に入れる。大皿を５５℃の“正常”プログラムで予備洗浄する。
このように処理された大皿Ｌを次のように表示する。
ＬA：処方物Ａにより処理したもの、
ＬB：処方物Ｂにより処理したもの、
ＬD：処方物Ｄにより処理したもの、
ＬE：処方物Ｅにより処理したもの。
卵、牛生肉、植物脂肪及び蛋白質を含むモデル汚染性物質を予備洗浄した４バッチの大皿に付着させる。６０℃で１時間にわたり乾燥させる。
大皿ＬA及びＬDのバッチを処方物Ｄ（ポリベタインなし）を使用して３回の連続サイクルで洗浄する（洗い機１台当たり１バッチの大皿）。
また、大皿ＬB及びＬEのバッチを処方物Ｅ（ポリベタインなし）を使用して３回の連続サイクルで洗浄する（洗い機１台当たり１バッチの大皿）。
洗浄した後、大皿を食器洗い機から取出し、それらの外観を比較する。
【０１５７】
【表８】
2010100861.tif 000031
【０１５８】
しかして、重合体Ｂ１及びＣ３は、処方物が自動食器洗い機において汚染性物質の付着を防止させる能力を向上させる。
【０１５９】
例６：自動食器洗い機で洗浄した物品への炭酸カルシウム及び燐酸カルシウムの再付着防止
重合体Ｂ１又は共重合体Ｃ３を、自動食器洗い機用処方物（トリポリ燐酸ナトリウムを含み又は含まなくてもよい。）中に導入する。
食器洗い機のそれぞれのサイクル始動時に２ｇのオルト燐酸塩（ＮａＨＰＯ4）を添加することにより皮膜形成（表面上に無機カルシウム塩の付着による白色皮膜の形成）させる。
ガラス上での白色皮膜の出現に要する洗浄サイクル（３５°の硬度の水を使用）の回数を測定する。
【０１６０】
【表９】
2010100861.tif 000032
【０１６１】
これらの結果は、重合体Ｂ１又はＣ３が皿への炭酸カルシウム及び燐酸カルシウムの付着を防止（又は阻止）することを示す。
このタイプの重合体は、ツーインワン（２−ｉｎ−１）型（洗浄及びすすぎ洗い）の食器洗い機用処方物又はスリーインワン（３−ｉｎ−１）型（軟化、洗浄及びすすぎ洗い）のものにも使用が推奨される。
【０１６２】
例７：自動食器洗い機のためのすすぎ洗い用処方物
処方物Ｄ（トリポリ燐酸ナトリウムを含まず、また重合体Ｂ１も含まない。）による上記例６に記載の洗浄操作を繰り返す。
この操作に続いて、下記の表に示すすすぎ洗い用処方物Ｆ１〜Ｆ３によるすすぎ洗い工程を行なう。
【０１６３】
【表１０】
2010100861.tif 000033
【０１６４】
処方物Ｆ２及びＦ３に関して得られた接触角は、重合体Ｂ３が処方物Ｆ１では出くわさない食器洗い機内でのガラス表面の親水性化を処方物にもたらすことを示している。
本発明の重合体は、処理される台所用品（特にガラスに関して）に光輝性を付与する重合体によって非イオン界面活性剤のある量を置き換えることを有利に可能ならしめる。
【０１６５】
例８：手により食器類を洗浄するための処方物
手により食器類を洗浄するための２種の市販処方物（処方物Ａ及びＣ）と重合体Ｂ２を含む２種の処方物（Ｂ及びＤ）との間で二つの比較実験を行なう。
【０１６６】
【表１１】
2010100861.tif 000034
【０１６７】
第一比較試験
パイレックス（登録商標）ガラス製の皿ＰAを、第一シンクにおいて、水で１０００倍に希釈した処方物Ａを使用して手により予備洗浄する。
同様にして、パイレックス（登録商標）ガラス製の皿ＰBを、第二シンクにおいて、水で１０００倍に希釈した処方物Ｂ（ベタイン重合体Ｂ２を含む。）を使用して手により予備洗浄する。
続いて、このように処方物Ａ及びＢにより処理した皿を解放空気中で乾燥する。
グラタン型の料理を皿のそれぞれにおいて１８０℃で１時間調理する。次いで、それらの内容物を空にする。
皿ＰAを、水で１０００倍に希釈した処方物Ａ（ポリベタインを含まない。）を満たした第一シンクに１時間浸漬させる。
皿ＰBを、水で１０００倍に希釈した処方物Ｂ（ポリベタインを含む。）を満たした第二シンクに１時間浸漬させる。
１時間浸漬した後、皿をシンクから取り出し、それらの外観を比較する。
汚染性物質は、皿ＰAに対するよりも、処方物Ｂで予備処理した皿ＰBに対してずっと少なく付着することが分かる。
【０１６８】
第二比較試験
それぞれ３０枚の大皿からなる二つのバッチを、卵、牛生肉、植物脂肪及び蛋白質を含むモデル汚染性物質でもって汚染させる。次いで、６０℃で１時間乾燥させる。
第一バッチの大皿３０枚（“バッチＣ”と言う。）を２Ｌの水道水中で処方物Ｃ（ポリベタインを含まない。）で洗浄する。清浄にできるバッチＣの大皿の数を数える。数えられた数は１５枚の大皿である。
第二バッチの大皿３０枚（“バッチＤ”と言う。）を２Ｌの水道水中で処方物Ｄ（ポリベタインを含む。）で洗浄する。清浄にできるバッチＤの大皿の数を数える。数えられた数は２２枚の大皿である。
しかして、重合体Ｂ２は、処方物の手による食器類の洗浄能力を向上させる。
【０１６９】
例９：浴室の洗浄用処方物
使用した処方物を下記の表に示す。
【０１７０】
【表１２】
2010100861.tif 000035
【０１７１】
処方物Ａ（ポリベタインを含まない。）を、ガラス繊維補強ポリエステル製のバスタブの内部表面の半分に及びタイル製の壁表面の半分に吹き付ける。
処方物Ｂ（ポリベタインを含む。）を、ガラス繊維補強ポリエステル製のバスタブの内部表面の他の半分に及びタイル製の壁表面の他の半分に吹き付ける。
続いて、それらの表面を水道水によりすすぎ洗いする。
使用者は、どのくらいの使用日数の後に、壁タイル又はバスタブのいずれかに現われる“白色斑点”を清浄にする必要性を自分が感じるかを記録することが求められる。
予備処理した表面上に斑点が出現するのを防止させるに当たってポリベタインの添加による有意の効果が認められた。
【０１７２】
例１０：大便器の処理
次の成分：
・非イオン界面活性剤      ０．５重量％、
・陰イオン界面活性剤      ０．５重量％、
・くえん酸                ８重量％、
・水                      ９１重量％
からなる大便器用の市販洗浄用処方物の１００重量部に０．０５重量部のポリベタインＢ１、Ｂ７、Ｂ８又はＣ１を添加する。
大便器の表面の半分を市販の処方物を使用して処理し、他の半分をポリベタインを添加した市販処方物を使用して処理する。
次いで、激しい水流を使用して大便器をすすぎ洗いする。
予備実施例１のモデル汚染性物質を、軟らかいブラシを使用して大便器の全体に付着させ、２０分間乾燥させてから、更に激しく水を流す。
この汚染性物質の付着／乾燥／激しい水洗の工程（“サイクル”という。）を繰り返す。汚染性物質の蓄積（汚染の集積）の現象が観察される最後のサイクル数を記録する。
得られた結果は次の通りである。
【０１７３】
【表１３】
2010100861.tif 000036
【０１７４】
しかして、本発明の重合体は、大便器上の汚染性物質の除去及びその付着防止を改善させる。
【０１７５】
例１１：自動車車体の持続性処理のための組成物
本発明の重合体Ｂ７を炭酸ナトリウムに含浸させ、下記の二つの処方物を調製する。
【０１７６】
【表１４】
2010100861.tif 000037
【０１７７】
続いて、上記粉末を２００倍（即ち、１０ｇの粉末を２Ｌの水に溶解する。）に希釈してから、ケルシャー型の高圧ジェットを使用して自動車に塗布する。自動車の半分を参照処方物により処理し、他の半分を重合体Ｂ７を添加した処方物により処理する。洗浄した後は、自動車の二つの側面の外観は類似している。１ヶ月使用した後に、自動車を洗剤を含まない水ですすぎ洗いする。次いで、処理した外観と処理なしの外観を比較する。粉塵の皮膜が本発明の重合体で処理した部分の側面から除去されたことは全く明かである。
【０１７８】
例１２：台所の表面の改善された洗浄
汚染性物質の調製
６０ｇのひまわり油、１０ｇのオリーブ油及び２０ｇの酸化鉄顔料をプラスチック製ビーカー内で周囲温度で３０分間攪拌しながら混合する。
別のビーカーで４５ｇのイソオクタンと１ｇのナフテン酸コバルトを３０分間攪拌することにより架橋剤を調製する。
２０．０ｇの架橋剤を９０ｇの汚染性物質に注入することにより、表面に塗布する最終汚染性物質を得る。この混合物を塗布する前に周囲温度で５時間撹拌する。
【０１７９】
材料
白色フォーマイカ（登録商標）製の、それぞれの側面が５ｃｍ×５ｃｍで、厚みが１．３ｃｍの８個の四角形体からなるいくつかのシリ−ズを使用する。それぞれの四角形体を０．１ｍＬのエタノールにより予め清浄にし、少なくとも３０分間乾燥させる。
【０１８０】
予備処理用処方物及び予備処理方法
０．４％の重合体Ｂ７、０．５％の陽イオン界面活性剤、４％のエチレングリコールモノブチルエーテル、５％のイソプロパノール及び１％のトリメチルアミンを含む溶液を調製する。
０．１ｍＬの予備処理用溶液を、評価すべきそれぞれの四角形体の表面に吹き付ける。周囲温度で５分間乾燥させる。水で湿らせたスポンジをそれぞれの表面上を３回動かして予備処理が均一になるようにさせる。
続いて、四角形体を３時間乾燥させる。
【０１８１】
最終洗浄用処方物
０．５％の陽イオン界面活性剤、４％のエチレングリコールモノブチルエーテル、５％のイソプロパノール及び１％のトリメチルアミンを含む処方物を調製する。
【０１８２】
装置
“スクレーパ”
これは、それぞれのシリーズの８個の四角形体を水平に整列させるようにする案内装置である。
中央の４個の四角形体を３、４、５及び６と番号を付ける。両端に位置した四角形体を一方では１及び２とし、他方では７及び８と番号を付ける。
金属棒を四角形体の上に置いてセルローススポンジの動きを四角形体の一方の側面から他の側面まで４ｃｍ×４ｃｍの大きさまで止めるようにさせる。スポンジは、ネジを使用して一定圧力で四角形体に適用することができ、また案内装置に沿って四角形体１〜８の一方の側面から他の側面に移動することができる。
“ペイントローラー”
汚染性物質を四角形体に塗布するためのものである。
【０１８３】
試験
１）予備洗浄
８個の四角形体のそれぞれを０．１ｍＬのエタノールにより予め清浄にし、少なくとも３０分間乾燥する。
２）予備処理
続いて、８個の四角形体のうちの４個を上に示した方法に従って予備処理する。
【０１８４】
３）スクレーパでの整列
８個の四角形体をスクレーパで整列させ、４個の予備処理した四角形体（３、４５及び６と番号を付けた）がスクレーパの中央に位置し、予備処理してない四角形体（一方の１及び２と番号を付け、他方の７及び８と番号を付けた）が両端に位置するようにし、またこれは“縁効果”を防止するためにのみ使用される。
【０１８５】
４）汚染性物質の付着
“軽い”汚染性物質の付着
１滴の汚染性物質を四角形体３及び５に塗布する。次いで、ペイントローラーを動かすことによりこの汚染性物質を四角形体３から６に一様に分配させる。
次いで、８個の四角形体を２５０℃及び３０％の相対湿度のオーブンに２４時間入れる。
“困難な”汚染性物質の付着
１滴の汚染性物質を四角形体３及び５に塗布する。次いで、ペイントローラーを動かすことによりこの汚染性物質を四角形体３から６に一様に分配させる。
１滴の汚染性物質を四角形体４及び６に塗布する。次いで、ペイントローラーを動かすことによりこの汚染性物質を四角形体３から６に一様に分配させる。
次いで、８個の四角形体を２５０℃及び５０％の相対湿度のオーブンに２４時間入れる。
【０１８６】
５）最終洗浄
セルローススポンジを使用して、予備処理したタイル３〜６に、０．１ｍＬ×２の最終洗浄処方物を２回塗布する。
続いて、セルローススポンジを案内装置に沿って四角形体１〜８の一方の側面から他方の側面まで動かす。スポンジが四角形体１から四角形体８まで通過し又はその逆に動いた時にスポンジの動きを１回と数える。
５回の前後の動き（１０回の通過）を行なう。
続いて、汚染性物質の除去を目視で評価する。
・０の評点は汚染性物質の除去が無いことに相当し、
・５の評点は完全な除去に相当する。
試験は３回繰返し、評価すべき四角形体（３〜６の番号を付けたもの）を交換する。
得られた平均評点は以下の通りである。参照物（即ち、重合体Ｂ７を含まない処方物だけで処理した四角形体）。
【０１８７】
【表１５】
2010100861.tif 000038